(57)【特許請求の範囲】
【請求項１】
名刺交換情報処理装置とサーバ装置とを具備する名刺管理システムを構成する名刺交換情報処理装置であって、
前記名刺交換情報処理装置は、
ユーザを識別する情報であるユーザ識別子と当該ユーザに関する情報であるユーザ情報と当該ユーザの名刺画像とを有するユーザ個人情報を２以上格納し得るユーザ個人情報格納部と、
ユーザ識別子と当該ユーザ識別子で識別されるユーザが名刺交換したユーザの名刺画像とを対応付ける情報である名刺交換情報を１以上格納し得る名刺交換情報格納部と、
ユーザ識別子を受け付けるユーザ識別子受付部と、
前記ユーザ識別子を、前記サーバ装置に送信するユーザ識別子送信部と、
前記ユーザ識別子の送信に応じて、前記サーバ装置から名刺交換候補ユーザ情報を受信する名刺交換候補ユーザ情報受信部と、
前記名刺交換候補ユーザ情報受信部が受信した名刺交換候補ユーザ情報に含まれる１以上のユーザ情報の中の１以上のユーザ情報をキーとして前記ユーザ個人情報格納部を検索し、当該１以上の各ユーザ情報に一致するユーザ情報と対になる１以上の名刺画像と、前記ユーザ識別子とを対応付ける名刺交換情報を、前記名刺交換情報格納部に蓄積する名刺交換処理部とを具備し、
前記サーバ装置は、
ユーザを識別するユーザ識別子と、当該ユーザに関する情報であるユーザ情報と、当該ユーザが属する１以上のグループを識別するグループ識別子とを対応付けたグループ情報を２以上格納し得るグループ情報格納部と、
前記名刺交換情報処理装置からユーザ識別子を受信するユーザ識別子受信部と、
前記ユーザ識別子と対になるグループ識別子と同一のグループ識別子を有するグループ情報が有する１以上のユーザ情報である名刺交換候補ユーザ情報を前記グループ情報格納部から取得する名刺交換候補ユーザ情報取得部と、
前記名刺交換候補ユーザ情報取得部が取得した名刺交換候補ユーザ情報を、前記名刺交換情報処理装置に送信する名刺交換候補ユーザ情報送信部とを具備する名刺管理システムを構成する名刺交換情報処理装置。
【請求項２】
前記ユーザ情報は、
ユーザ識別子で識別されるユーザに対する問い合わせ先を示すユーザ通知先情報を有し、
前記名刺交換候補ユーザ情報受信部が受信した名刺交換候補ユーザ情報に含まれる１以上のユーザ情報を用いて、名刺交換するユーザを選択する選択画面を構成し、出力する選択画面構成出力部と、
名刺交換するユーザを選択する指示であるユーザ選択指示を受け付けるユーザ選択指示受付部と、
前記ユーザ選択指示に対応する１以上のユーザ情報に含まれる１以上のユーザ通知先情報を取得し、当該ユーザ通知先情報を用いて、名刺交換を行うか否かの問い合わせを行う名刺交換質問部と、
前記名刺交換を行うか否かの問い合わせに対応する回答を受け付ける回答受付部とをさらに具備し、
前記名刺交換処理部は、
前記回答受付部が受け付けた回答が、名刺交換をするという回答である場合、当該回答に対応するユーザ通知先情報と対になる名刺画像と、前記ユーザ識別子とを対応付ける名刺交換情報を、前記名刺交換情報格納部に蓄積する請求項１記載の名刺交換情報処理装置。
【請求項３】
前記名刺交換を行うか否かの問い合わせは、
名刺交換を促す情報と、前記回答を入力するためのＷｅｂページを特定するＵＲＩとを含む請求項２記載の名刺交換情報処理装置。
【請求項４】
ユーザを識別する情報であるユーザ識別子と当該ユーザに関する情報であるユーザ情報と当該ユーザの名刺画像とを有するユーザ個人情報を２以上格納し得るユーザ個人情報格納部と、
ユーザ識別子と当該ユーザ識別子で識別されるユーザが名刺交換したユーザの名刺画像とを対応付ける情報である名刺交換情報を１以上格納し得る名刺交換情報格納部と、
ユーザ識別子を受け付けるユーザ識別子受付部と、
前記ユーザ識別子を、サーバ装置に送信するユーザ識別子送信部と、
前記ユーザ識別子の送信に応じて、当該ユーザ識別子で識別されるユーザと同一のグループに属する１以上のユーザの１以上のユーザ情報である名刺交換候補ユーザ情報を、前記サーバ装置から受信する名刺交換候補ユーザ情報受信部と、
前記名刺交換候補ユーザ情報受信部が受信した名刺交換候補ユーザ情報に含まれる１以上のユーザ情報の中の１以上のユーザ情報をキーとして前記ユーザ個人情報格納部を検索し、当該１以上の各ユーザ情報に一致するユーザ情報と対になる１以上の名刺画像と、前記ユーザ識別子とを対応付ける名刺交換情報を、前記名刺交換情報格納部に蓄積する名刺交換処理部とを具備する名刺交換情報処理装置。
【請求項５】
前記ユーザ情報は、
ユーザ識別子で識別されるユーザに対する問い合わせ先を示すユーザ通知先情報を有し、
前記名刺交換候補ユーザ情報受信部が受信した名刺交換候補ユーザ情報に含まれる１以上のユーザ情報を用いて、名刺交換するユーザを選択する選択画面を構成し、出力する選択画面構成出力部と、
名刺交換するユーザを選択する指示であるユーザ選択指示を受け付けるユーザ選択指示受付部と、
前記ユーザ選択指示に対応する１以上のユーザ情報に含まれる１以上のユーザ通知先情報を取得し、当該ユーザ通知先情報を用いて、名刺交換を行うか否かの問い合わせを行う名刺交換質問部と、
前記名刺交換を行うか否かの問い合わせに対応する回答を受け付ける回答受付部とをさらに具備し、
前記名刺交換処理部は、
前記回答受付部が受け付けた回答が、名刺交換をするという回答である場合、当該回答に対応するユーザ通知先情報と対になる名刺画像と、前記ユーザ識別子とを対応付ける名刺交換情報を、前記名刺交換情報格納部に蓄積する請求項４記載の名刺交換情報処理装置。
【請求項６】
記憶媒体に、
ユーザを識別する情報であるユーザ識別子と当該ユーザに関する情報であるユーザ情報と当該ユーザの名刺画像とを有する２以上のユーザ個人情報を格納し、かつ、
ユーザ識別子と当該ユーザ識別子で識別されるユーザが名刺交換したユーザの名刺画像とを対応付ける情報である１以上の名刺交換情報を格納し得、
ユーザ識別子受付部、ユーザ識別子送信部、名刺交換候補ユーザ情報受信部および名刺交換処理部とを用いて実現される名刺交換情報処理方法であって、
前記ユーザ識別子受付部が、ユーザ識別子を受け付けるユーザ識別子受付ステップと、
前記ユーザ識別子送信部が、前記ユーザ識別子を、サーバ装置に送信するユーザ識別子送信ステップと、
前記名刺交換候補ユーザ情報受信部が、前記ユーザ識別子の送信に応じて、当該ユーザ識別子で識別されるユーザと同一のグループに属する１以上のユーザの１以上のユーザ情報である名刺交換候補ユーザ情報を、前記サーバ装置から受信する名刺交換候補ユーザ情報受信ステップと、
前記名刺交換処理部が、前記名刺交換候補ユーザ情報受信ステップで受信された名刺交換候補ユーザ情報に含まれる１以上のユーザ情報の中の１以上のユーザ情報をキーとして前記記憶媒体を検索し、当該１以上の各ユーザ情報に一致するユーザ情報と対になる１以上の名刺画像と、前記ユーザ識別子とを対応付ける名刺交換情報を、前記記憶媒体に蓄積する名刺交換処理ステップとを具備する名刺交換情報処理方法。
【請求項７】
選択画面構成出力部、ユーザ選択指示受付部、名刺交換質問部、および回答受付部とをさらに用いて実現される請求項６記載の名刺交換情報処理方法であって、
前記ユーザ情報は、
ユーザ識別子で識別されるユーザに対する問い合わせ先を示すユーザ通知先情報を有し、
前記選択画面構成出力部が、前記名刺交換候補ユーザ情報受信ステップで受信された名刺交換候補ユーザ情報に含まれる１以上のユーザ情報を用いて、名刺交換するユーザを選択する選択画面を構成し、出力する選択画面構成出力ステップと、
前記ユーザ選択指示受付部が、名刺交換するユーザを選択する指示であるユーザ選択指示を受け付けるユーザ選択指示受付ステップと、
前記名刺交換質問部が、前記ユーザ選択指示に対応する１以上のユーザ情報に含まれる１以上のユーザ通知先情報を取得し、当該ユーザ通知先情報を用いて、名刺交換を行うか否かの問い合わせを行う名刺交換質問ステップと、
前記回答受付部が、前記名刺交換を行うか否かの問い合わせに対応する回答を受け付ける回答受付ステップとをさらに具備し、
前記名刺交換処理ステップにおいて、
前記回答受付ステップで受け付けられた回答が、名刺交換をするという回答である場合、当該回答に対応するユーザ通知先情報と対になる名刺画像と、前記ユーザ識別子とを対応付ける名刺交換情報を、前記記録媒体に蓄積する請求項６記載の名刺交換情報処理方法。
【請求項８】
記憶媒体に、
ユーザを識別する情報であるユーザ識別子と当該ユーザに関する情報であるユーザ情報と当該ユーザの名刺画像とを有する２以上のユーザ個人情報を格納し、かつ、
ユーザ識別子と当該ユーザ識別子で識別されるユーザが名刺交換したユーザの名刺画像とを対応付ける情報である１以上の名刺交換情報を格納し得、
コンピュータを、
ユーザ識別子を受け付けるユーザ識別子受付部と、
前記ユーザ識別子を、サーバ装置に送信するユーザ識別子送信部と、
前記ユーザ識別子の送信に応じて、当該ユーザ識別子で識別されるユーザと同一のグループに属する１以上のユーザの１以上のユーザ情報である名刺交換候補ユーザ情報を、前記サーバ装置から受信する名刺交換候補ユーザ情報受信部と、
前記名刺交換候補ユーザ情報受信部が受信した名刺交換候補ユーザ情報に含まれる１以上のユーザ情報の中の１以上のユーザ情報をキーとして前記記憶媒体を検索し、当該１以上の各ユーザ情報に一致するユーザ情報と対になる１以上の名刺画像と、前記ユーザ識別子とを対応付ける名刺交換情報を、前記記憶媒体に蓄積する名刺交換処理部として実行させるためのプログラム。
【請求項９】
前記ユーザ情報は、
ユーザ識別子で識別されるユーザに対する問い合わせ先を示すユーザ通知先情報を有し、
コンピュータを、
前記名刺交換候補ユーザ情報受信部が受信した名刺交換候補ユーザ情報に含まれる１以上のユーザ情報を用いて、名刺交換するユーザを選択する選択画面を構成し、出力する選択画面構成出力部と、
名刺交換するユーザを選択する指示であるユーザ選択指示を受け付けるユーザ選択指示受付部と、
前記ユーザ選択指示に対応する１以上のユーザ情報に含まれる１以上のユーザ通知先情報を取得し、当該ユーザ通知先情報を用いて、名刺交換を行うか否かの問い合わせを行う名刺交換質問部と、
前記名刺交換を行うか否かの問い合わせに対応する回答を受け付ける回答受付部として、さら機能させ、
前記名刺交換処理部は、
前記回答受付部が受け付けた回答が、名刺交換をするという回答である場合、当該回答に対応するユーザ通知先情報と対になる名刺画像と、前記ユーザ識別子とを対応付ける名刺交換情報を、前記名刺交換情報格納部に蓄積するものとして、コンピュータを機能させる請求項８記載のプログラム。
【発明の詳細な説明】
【技術分野】
【０００１】
本発明は、バーチャルな名刺交換を実現できる名刺管理システム等に関するものである。
【背景技術】
【０００２】
従来の名刺管理システムにおいて、名刺管理ができる上に、人事異動の情報を自動通知できる名刺管理システムがあった（特許文献１参照）。かかる名刺管理システムは、人事異動のあった人である異動者を識別する異動者識別子と、当該異動者が変更になった情報を少なくとも有する異動情報を有する異動者情報を受け付ける異動者情報受付部と、異動者情報受付部が受け付けた異動者情報が有する異動者識別子で識別される異動者と名刺交換をした１以上の受取人の１以上の受取人識別子を、記憶媒体から取得する通知受取人識別子取得部と、通知受取人識別子取得部が取得した１以上の受取人識別子と対になる１以上の通知先情報を、記憶媒体から取得する通知先情報取得部と、通知先情報取得部が取得した通知先情報を用いて、当該通知先情報が示す通知先に、異動者情報受付部が受け付けた異動者情報が有する異動情報を通知する異動情報通知部とを具備する名刺管理システムである。
【先行技術文献】
【特許文献】
【０００３】
【特許文献１】特開２００９−１２９２３９号公報（第１頁、第１図等）
【発明の概要】
【発明が解決しようとする課題】
【０００４】
しかしながら、従来の名刺管理システムにおいては、バーチャルな名刺交換を実現することができなかったために、情報通信技術を用いたヒューマンネットワークの拡大を図ることが困難であった。
【課題を解決するための手段】
【０００５】
本第一の発明の名刺交換情報処理装置は、ユーザを識別する情報であるユーザ識別子とユーザに関する情報であるユーザ情報とユーザの名刺画像とを有するユーザ個人情報を２以上格納し得るユーザ個人情報格納部と、ユーザ識別子とユーザ識別子で識別されるユーザが名刺交換したユーザの名刺画像とを対応付ける情報である名刺交換情報を１以上格納し得る名刺交換情報格納部と、一のユーザからユーザのユーザ識別子と他のユーザに関する情報である他ユーザ情報とを有する他ユーザ接触情報を受け付ける他ユーザ接触情報受付部と、他ユーザ接触情報受付部が他ユーザ接触情報を受け付けた場合に、他ユーザ接触情報が有する他ユーザ情報をキーとしてユーザ個人情報格納部を検索し、他ユーザ情報に一致するユーザ情報と対になる名刺画像と、他ユーザ接触情報が有するユーザ識別子とを対応付ける名刺交換情報を、名刺交換情報格納部に蓄積する名刺交換処理部とを具備する名刺交換情報処理装置である。
【０００６】
かかる構成により、バーチャルな名刺交換を実現することができるために、情報通信技術を用いたヒューマンネットワークの拡大を図ることができる。
【０００７】
また、本第二の発明の名刺交換情報処理装置は、第一の発明に対して、名刺交換情報は、ユーザ識別子とユーザの名刺画像とユーザと接触した他のユーザに関する情報である関係者ユーザ情報とを対応付ける情報であり、名刺交換処理部は、他ユーザ接触情報受付部が他ユーザ接触情報を受け付けた場合に、他ユーザ接触情報が有する他ユーザ情報をキーとしてユーザ個人情報格納部を検索し、他ユーザ情報に一致するユーザ情報が存在するか否かを判断する判断手段と、判断手段が他ユーザ情報に一致するユーザ情報が存在すると判断した場合は、他ユーザ情報に一致するユーザ情報と対になる名刺画像と、他ユーザ接触情報が有するユーザ識別子とを対応付ける名刺交換情報を、名刺交換情報格納部に蓄積する名刺交換処理手段とを具備する名刺交換情報処理装置である。
【０００８】
かかる構成により、バーチャルな名刺交換を実現することができるために、情報通信技術を用いたヒューマンネットワークの拡大を図ることができる。
【０００９】
また、本第三の発明の名刺交換情報処理装置は、第二の発明に対して、名刺交換処理部は、判断手段が他ユーザ情報に一致するユーザ情報が存在しないと判断した場合は、他ユーザ接触情報が有する他ユーザ情報を、他ユーザ接触情報受付部が受け付けた他ユーザ接触情報が有するユーザ識別子に対応付けられた関係者ユーザ情報として、名刺交換情報格納部に蓄積する関係者ユーザ情報蓄積手段、または、判断手段が他ユーザ情報に一致するユーザ情報が存在しないと判断した場合は、他ユーザ情報が有する通知先に、ユーザ登録を促す情報を送信するユーザ登録催促情報送信手段をさらに具備する名刺交換情報処理装置である。
【００１０】
かかる構成により、接触した人の情報を管理でき、また、効果的に名刺交換情報処理装置の利用者を増加させることができる。
【００１１】
また、本第四の発明の名刺交換情報処理装置は、第一から第三いずれかの発明に対して、ユーザ情報は、ユーザ識別子で識別されるユーザに対する問い合わせ先を示すユーザ通知先情報を有し、他ユーザ接触情報受付部が他ユーザ接触情報を受け付けた場合に、他ユーザ接触情報が有する他ユーザ情報と対になるユーザ通知先情報を、ユーザ個人情報格納部から取得し、ユーザ通知先情報を用いて、名刺交換を行うか否かの問い合わせを行う名刺交換質問部と、名刺交換を行うか否かの問い合わせに対応する回答を受け付ける回答受付部とをさらに具備し、名刺交換処理部は、回答受付部が受け付けた回答が、名刺交換をするという回答である場合、他ユーザ情報に一致するユーザ情報と対になる名刺画像と、他ユーザ接触情報が有するユーザ識別子とを対応付ける名刺交換情報を、名刺交換情報格納部に蓄積する名刺交換情報処理装置である。
【００１２】
かかる構成により、ユーザは安心して、バーチャルな名刺交換を実現することができる。
【００１３】
また、本第五の発明の名刺交換情報処理装置は、第一から第四いずれかの発明に対して、ユーザ個人情報は、ユーザの名刺画像とパスワードとを有し、パスワードを入力する画面であるパスワード入力画面を格納しているパスワード入力画面格納部と、ユーザの名刺画像を受け付ける名刺画像受付部と、名刺画像を受け付けた後に、パスワード入力画面を端末装置に送信するパスワード入力画面送信部と、パスワード入力画面の送信に対応して、端末装置からパスワードを受信するパスワード受信部と、名刺画像受付部が受信した名刺画像と、パスワード受信部が受信したパスワードとを有するユーザ個人情報をユーザ個人情報格納部に蓄積するユーザ登録部とをさらに具備する名刺交換情報処理装置である。
【００１４】
かかる構成により、簡単にユーザ登録を行うことができる。
【００１５】
また、本第六の発明の名刺交換情報処理装置は、第五の発明に対して、ユーザ登録部は、他のユーザ識別子と重複しないように、ユーザ識別子を生成するユーザ識別子生成手段と、ユーザ識別子生成手段が生成したユーザ識別子と、名刺画像受付部が受信した名刺画像と、パスワード受信部が受信したパスワードとを有するユーザ個人情報をユーザ個人情報格納部に蓄積するユーザ個人情報蓄積手段とを具備する名刺交換情報処理装置である。
【００１６】
かかる構成により、簡単にユーザ登録を行うことができる。
【００１７】
また、本第七の発明の名刺交換情報処理装置は、第五または第六の発明に対して、ユーザ登録部は、名刺画像を文字認識し、氏名、会社名、メールアドレス、電話番号、ＦＡＸ番号、役職のうちの１以上のユーザ情報を取得する名刺認識手段をさらに具備し、ユーザ個人情報蓄積手段は、名刺認識手段が取得したユーザ情報と、ユーザ識別子生成手段が生成したユーザ識別子と、名刺画像受付部が受信した名刺画像と、パスワード受信部が受信したパスワードとを有するユーザ個人情報をユーザ個人情報格納部に蓄積する名刺交換情報処理装置である。
【００１８】
かかる構成により、簡単にユーザ登録を行うことができる。
【００１９】
また、本第八の発明の名刺交換情報処理装置は、第一から第七いずれかの発明に対して、名刺交換した他のユーザの名刺画像を出力する指示であり、ユーザ識別子を有する指示である名刺出力指示を受け付ける名刺出力指示受付部と、名刺出力指示を受け付けた場合に、名刺出力指示が有するユーザ識別子と対応付けられた１以上の名刺画像を、名刺交換情報格納部の名刺交換情報を用いて取得する名刺画像取得部と、名刺画像取得部が取得した１以上の名刺画像を出力する名刺画像出力部とをさらに具備する名刺交換情報処理装置である。
【００２０】
また、本第九の発明の名刺交換情報処理装置は、名刺交換情報処理装置とサーバ装置とを具備する名刺管理システムを構成する名刺交換情報処理装置であって、名刺交換情報処理装置は、ユーザを識別する情報であるユーザ識別子とユーザに関する情報であるユーザ情報とユーザの名刺画像とを有するユーザ個人情報を２以上格納し得るユーザ個人情報格納部と、ユーザ識別子とユーザ識別子で識別されるユーザが名刺交換したユーザの名刺画像とを対応付ける情報である名刺交換情報を１以上格納し得る名刺交換情報格納部と、ユーザ識別子を受け付けるユーザ識別子受付部と、ユーザ識別子を、サーバ装置に送信するユーザ識別子送信部と、ユーザ識別子の送信に応じて、サーバ装置から名刺交換候補ユーザ情報を受信する名刺交換候補ユーザ情報受信部と、は、名刺交換候補ユーザ情報受信部が受信した名刺交換候補ユーザ情報に含まれる１以上のユーザ情報の中の１以上のユーザ情報をキーとしてユーザ個人情報格納部を検索し、１以上の各ユーザ情報に一致するユーザ情報と対になる１以上の名刺画像と、ユーザ識別子とを対応付ける名刺交換情報を、名刺交換情報格納部に蓄積する名刺交換処理部とを具備し、サーバ装置は、ユーザを識別するユーザ識別子と、ユーザに関する情報であるユーザ情報と、ユーザが属する１以上のグループを識別するグループ識別子とを対応付けたグループ情報を２以上格納し得るグループ情報格納部と、名刺交換情報処理装置からユーザ識別子を受信するユーザ識別子受信部と、ユーザ識別子と対になるグループ識別子と同一のグループ識別子を有するグループ情報が有する１以上のユーザ情報である名刺交換候補ユーザ情報をグループ情報格納部から取得する名刺交換候補ユーザ情報取得部と、名刺交換候補ユーザ情報取得部が取得した名刺交換候補ユーザ情報を、名刺交換情報処理装置に送信する名刺交換候補ユーザ情報送信部とを具備する名刺管理システムを構成する名刺交換情報処理装置である。
【００２１】
かかる構成により、ＳＮＳ等の既存の人的ネットワークを利用して、バーチャルな名刺交換を実現することができるために、情報通信技術を用いたヒューマンネットワークのさらなる拡大を図ることができる。
【００２２】
また、本第十の発明の名刺交換情報処理装置は、第九の発明に対して、ユーザ情報は、ユーザ識別子で識別されるユーザに対する問い合わせ先を示すユーザ通知先情報を有し、名刺交換候補ユーザ情報受信部が受信した名刺交換候補ユーザ情報に含まれる１以上のユーザ情報を用いて、名刺交換するユーザを選択する選択画面を構成し、出力する選択画面構成出力部と、名刺交換するユーザを選択する指示であるユーザ選択指示を受け付けるユーザ選択指示受付部と、ユーザ選択指示に対応する１以上のユーザ情報に含まれる１以上のユーザ通知先情報を取得し、ユーザ通知先情報を用いて、名刺交換を行うか否かの問い合わせを行う名刺交換質問部と、名刺交換を行うか否かの問い合わせに対応する回答を受け付ける回答受付部とをさらに具備し、名刺交換処理部は、回答受付部が受け付けた回答が、名刺交換をするという回答である場合、回答に対応するユーザ通知先情報と対になる名刺画像と、ユーザ識別子とを対応付ける名刺交換情報を、名刺交換情報格納部に蓄積する名刺交換情報処理装置である。
【００２３】
かかる構成により、ＳＮＳ等の既存の人的ネットワークを利用して、バーチャルな名刺交換を実現することができるために、情報通信技術を用いたヒューマンネットワークのさらなる拡大を図ることができる。
【００２４】
また、本第十一の発明の名刺交換情報処理装置は、第十の発明に対して、名刺交換を行うか否かの問い合わせは、名刺交換を促す情報と、回答を入力するためのＷｅｂページを特定するＵＲＩとを含む名刺交換情報処理装置である。
【００２５】
かかる構成により、ＳＮＳ等の既存の人的ネットワークを利用して、バーチャルな名刺交換を実現することができるために、情報通信技術を用いたヒューマンネットワークのさらなる拡大を図ることができる。
【００２６】
また、本第十二の発明の名刺交換情報処理装置は、ユーザを識別する情報であるユーザ識別子とユーザに関する情報であるユーザ情報とユーザの名刺画像とを有するユーザ個人情報を２以上格納し得るユーザ個人情報格納部と、ユーザ識別子とユーザ識別子で識別されるユーザが名刺交換したユーザの名刺画像とを対応付ける情報である名刺交換情報を１以上格納し得る名刺交換情報格納部と、ユーザ識別子を受け付けるユーザ識別子受付部と、ユーザ識別子を、サーバ装置に送信するユーザ識別子送信部と、ユーザ識別子の送信に応じて、ユーザ識別子で識別されるユーザと同一のグループに属する１以上のユーザの１以上のユーザ情報である名刺交換候補ユーザ情報を、サーバ装置から受信する名刺交換候補ユーザ情報受信部と、名刺交換候補ユーザ情報受信部が受信した名刺交換候補ユーザ情報に含まれる１以上のユーザ情報の中の１以上のユーザ情報をキーとしてユーザ個人情報格納部を検索し、１以上の各ユーザ情報に一致するユーザ情報と対になる１以上の名刺画像と、ユーザ識別子とを対応付ける名刺交換情報を、名刺交換情報格納部に蓄積する名刺交換処理部とを具備する名刺交換情報処理装置である。
【００２７】
かかる構成により、ＳＮＳ等の既存の人的ネットワークを利用して、バーチャルな名刺交換を実現することができるために、情報通信技術を用いたヒューマンネットワークのさらなる拡大を図ることができる。
【発明の効果】
【００２８】
本発明による名刺管理システムによれば、バーチャルな名刺交換を実現することができるために、情報通信技術を用いたヒューマンネットワークの拡大を図ることができる。
【図面の簡単な説明】
【００２９】
【図１】実施の形態１における名刺管理システムの概念図
【図２】同名刺管理システムのブロック図
【図３】同名刺交換情報処理装置の動作について説明するフローチャート
【図４】同名刺交換処理の動作について説明するフローチャート
【図５】同登録・名刺交換処理の動作について説明するフローチャート
【図６】同ユーザ個人情報管理表を示す図
【図７】同名刺交換情報管理表を示す図
【図８】同パスワード入力画面を示す図
【図９】同名刺画像を示す図
【図１０】同パスワード入力画面への入力を説明する図
【図１１】同ユーザ個人情報管理表を示す図
【図１２】同名刺交換情報管理表を示す図
【図１３】同名刺交換を促す画面を示す図
【図１４】同名刺交換情報管理表を示す図
【図１５】同画面出力例を示す図
【図１６】同ユーザ個人情報管理表を示す図
【図１７】同名刺交換情報管理表を示す図
【図１８】同スタート画面を示す図
【図１９】同名刺画像の出力例を示す図
【図２０】実施の形態２における名刺管理システムの概念図
【図２１】同名刺交換情報処理装置のブロック図
【図２２】同サーバ装置のブロック図
【図２３】同名刺交換情報処理装置の動作について説明するフローチャート
【図２４】同サーバ連携処理の第一の例の動作について説明するフローチャート
【図２５】同サーバ連携処理の第二の例の動作について説明するフローチャート
【図２６】同グループ情報管理表を示す図
【図２７】同名刺交換候補ユーザ情報を示す図
【図２８】同選択画面を示す図
【図２９】同名刺交換情報管理表を示す図
【図３０】全実施の形態におけるコンピュータシステムの概観図
【図３１】同コンピュータシステムのブロック図
【図３２】実施の形態３における名刺交換情報処理のブロック図
【図３３】同名刺交換情報処理装置のユーザ登録動作について説明するフローチャート
【図３４】同他の名刺交換情報処理装置のブロック図
【発明を実施するための形態】
【００３０】
以下、名刺管理システム等の実施形態について図面を参照して説明する。なお、実施の形態において同じ符号を付した構成要素は同様の動作を行うので、再度の説明を省略する場合がある。
（実施の形態１）
【００３１】
本実施の形態において、バーチャルな名刺交換を実現することができる名刺管理システムについて説明する。
【００３２】
本名刺管理システムは、複数の登録ユーザの名刺画像を格納しており、かつ、各ユーザが名刺交換した他人の名刺を、ユーザ毎に管理しており、ユーザが関連を有するユーザの情報（メールアドレス等）を入力した後、当該関連を有するユーザと名刺交換し、ユーザの名刺管理情報の中に関連を有するユーザの名刺画像が取り込まれる（名刺交換処理を行う）名刺管理システムである。
【００３３】
また、本名刺管理システムは、名刺交換するか否かを問い合わせ、名刺交換する、との入力を受け付けた場合に、上記名刺交換処理を行うシステムである。
【００３４】
さらに、本名刺管理システムは、名刺画像を受け付けることにより、ユーザ登録を行うシステムである。
【００３５】
図１は、本実施の形態における名刺管理システムの概念図である。名刺管理システムは、名刺交換情報処理装置１と２以上の端末装置２を具備する。名刺交換情報処理装置１と各端末装置２とは、相互に通信可能である。名刺交換情報処理装置１と各端末装置２とは、例えば、インターネットにより接続されている。名刺交換情報処理装置１は、例えば、インターネット上のＷｅｂサーバである。また、端末装置２は、例えば、ユーザが利用する端末装置であり、例えば、携帯端末、携帯電話、いわゆるパーソナルコンピュータ、ゲーム装置など、情報の入出力ができる装置であれば何でも良い。なお、端末装置２は、名刺画像を読み取るためのスキャナを有することは好適である。
【００３６】
図２は、本実施の形態における名刺管理システムのブロック図である。名刺交換情報処理装置１は、ユーザ個人情報格納部１０１、名刺交換情報格納部１０２、パスワード入力画面格納部１０３、名刺画像受付部１０４、パスワード入力画面送信部１０５、パスワード受信部１０６、ユーザ登録部１０７、交換名刺受付部１０８、交換名刺蓄積部１０９、名刺出力指示受付部１１０、名刺画像取得部１１１、名刺画像出力部１１２、他ユーザ接触情報受付部１１３、名刺交換質問部１１４、回答受付部１１５、名刺交換処理部１１６を具備する。
【００３７】
ユーザ登録部１０７は、ユーザ識別子生成手段１０７１、名刺認識手段１０７２、ユーザ個人情報蓄積手段１０７３を具備する。
【００３８】
名刺交換処理部１１６は、判断手段１１６１、名刺交換処理手段１１６２、関係者ユーザ情報蓄積手段１１６３、ユーザ登録催促情報送信手段１１６４を具備する。
【００３９】
端末装置２は、端末受付部２１、端末送信部２２、端末受信部２３、端末出力部２４を具備する。
【００４０】
ユーザ個人情報格納部１０１は、２以上のユーザ個人情報を格納し得る。ユーザ個人情報は、ユーザ識別子とユーザ情報とユーザの名刺画像とを有する。ユーザ識別子とは、ユーザを識別する情報であり、例えば、数値や英数字のユニークなＩＤ、または氏名などである。ユーザ情報とは、ユーザに関する情報である。ユーザ情報は、例えば、氏名、会社名、役職、メールアドレス、会社のＵＲＬ、電話番号、ＦＡＸ番号等なである。ユーザ情報は、通常、名刺に記載されている情報である。名刺画像とは、名刺を読み取った画像であり、そのフォーマットは問わない。名刺画像は、例えば、ＢＭＰ、ＧＩＦ、またはＪＰＥＧなどのデータフォーマットである。
【００４１】
ユーザ個人情報格納部１０１は、不揮発性の記録媒体が好適であるが、揮発性の記録媒体でも実現可能である。
【００４２】
ユーザ個人情報格納部１０１にユーザ個人情報が記憶される過程は問わない。ただし、後述するように、端末装置２から名刺画像やパスワードを受信した後にユーザ個人情報が構成され、ユーザ個人情報格納部１０１に蓄積されることは好適である。また、例えば、記録媒体を介してユーザ個人情報がユーザ個人情報格納部１０１で記憶されるようになってもよく、あるいは、入力デバイスを介して入力されたユーザ個人情報がユーザ個人情報格納部１０１で記憶されるようになってもよい。
【００４３】
名刺交換情報格納部１０２は、１以上の名刺交換情報を格納し得る。名刺交換情報は、名刺交換した人々に関する情報である。名刺交換情報は、ユーザ識別子とユーザ識別子で識別されるユーザが名刺交換したユーザの名刺画像とを対応付ける情報である。名刺交換情報は、例えば、ユーザ識別子と当該ユーザが名刺交換した他のユーザの名刺画像とを有する。また、名刺交換情報は、例えば、ユーザ識別子と当該ユーザが名刺交換した他のユーザの名刺画像にアクセスするための情報（例えば、他のユーザのユーザ識別子）とを有しても良い。また、名刺交換情報は、例えば、名刺交換した両者のユーザ識別子である２つのユーザ識別子の対でも良い。なお、名刺交換情報が２つのユーザ識別子の対である場合、ユーザ識別子から当該ユーザ識別子で識別されるユーザの名刺画像が取得できることが必要である。つまり、「ユーザ識別子と名刺画像とを対応付ける」とは、ユーザ識別子と名刺画像の一方の情報から、他方の情報を取得できればよいという意味である。なお、名刺交換情報は、ユーザ識別子で識別されるユーザ毎に、当該ユーザが名刺交換（後述するバーチャルな名刺交換も含む）した他のユーザの名刺画像、または名刺画像を特定する情報（例えば、ユーザ識別子）を有する情報でも良い。
【００４４】
名刺交換情報格納部１０２は、不揮発性の記録媒体が好適であるが、揮発性の記録媒体でも実現可能である。名刺交換情報格納部１０２に名刺交換情報が記憶される過程は問わない。例えば、記録媒体を介して名刺交換情報が名刺交換情報格納部１０２で記憶されるようになってもよく、通信回線等を介して送信された名刺交換情報が名刺交換情報格納部１０２で記憶されるようになってもよく、あるいは、入力デバイスを介して入力された名刺交換情報が名刺交換情報格納部１０２で記憶されるようになってもよい。
【００４５】
パスワード入力画面格納部１０３は、パスワードを入力する画面であるパスワード入力画面を格納している。パスワード入力画面とは、パスワードを入力する画面を構成する情報である。パスワード入力画面は、ＨＴＭＬ、ＸＭＬ、４ＧＬなどのプログラム言語、ビットマップ等のうち、どのような情報を用いて実現されていても良い。
【００４６】
パスワード入力画面格納部１０３は、不揮発性の記録媒体が好適であるが、揮発性の記録媒体でも実現可能である。パスワード入力画面格納部１０３にパスワード入力画面が記憶される過程は問わない。
【００４７】
名刺画像受付部１０４は、ユーザの名刺画像を受け付ける。ここで、受け付けとは、通常、ネットワーク等の通信手段による受信であるが、ＦＡＸによる受信、郵送にされた名刺画像の手動（例えば、スキャナから）による受け付けなど、受け付ける手段は問わない。また、ここでの名刺画像の受け付けは、通常、ユーザ登録のための名刺画像の受け付けである。
【００４８】
パスワード入力画面送信部１０５は、名刺画像を受け付けた後に、パスワード入力画面を端末装置２に送信する。パスワード入力画面送信部１０５は、通常、無線または有線の通信手段で実現されるが、放送手段で実現されても良い。
【００４９】
パスワード受信部１０６は、パスワード入力画面の送信に対応して、端末装置２からパスワードを受信する。パスワード受信部１０６は、通常、無線または有線の通信手段で実現されるが、放送を受信する手段で実現されても良い。
【００５０】
ユーザ登録部１０７は、ユーザ登録処理を行う。ここでのユーザ登録処理は、通常、名刺画像受付部１０４が受信した名刺画像と、パスワード受信部１０６が受信したパスワードとを有するユーザ個人情報をユーザ個人情報格納部１０１に蓄積する処理である。ユーザ登録処理は、名刺交換情報処理装置１を利用するためのユーザの登録処理である。ユーザ登録部１０７が登録する情報の中に氏名、会社名、メールアドレス、電話番号、ＦＡＸ番号、役職のうちの１以上のユーザ情報を含む場合、ユーザ登録部１０７は、手入力されたユーザ情報を受け付けても良いし、後述する名刺認識手段１０７２が取得しても良いし、手入力された一部のユーザ情報を受け付け、一部を名刺認識手段１０７２が取得しても良い。
【００５１】
ユーザ登録部１０７は、通常、ＭＰＵやメモリ等から実現され得る。ユーザ登録部１０７の処理手順は、通常、ソフトウェアで実現され、当該ソフトウェアはＲＯＭ等の記録媒体に記録されている。但し、ハードウェア（専用回路）で実現しても良い。
【００５２】
ユーザ識別子生成手段１０７１は、他のユーザ識別子と重複しないように、ユーザ識別子を生成する。ユーザ識別子は、通常、ＩＤである。そして、例えば、ユーザ識別子は、数値であり、ユーザ識別子生成手段１０７１は、現在のユーザ識別子の中の最大のユーザ識別子に１を加えた数字を生成する。また、ユーザ識別子生成手段１０７１は、既に存在するユーザ識別子と一致しなくなるまで、乱数を発生させ、当該乱数をユーザ識別子としても良い。
【００５３】
名刺認識手段１０７２は、名刺画像を文字認識し、氏名、会社名、メールアドレス、電話番号、ＦＡＸ番号、役職のうちの１以上のユーザ情報を取得する。なお、名刺画像を認識し、氏名、会社名等を取得する技術は公知の文字認識技術であるので、詳細な説明は省略する。
【００５４】
ユーザ個人情報蓄積手段１０７３は、ユーザ個人情報をユーザ個人情報格納部１０１に蓄積する。例えば、ユーザ個人情報蓄積手段１０７３は、ユーザ識別子生成手段１０７１が生成したユーザ識別子と、名刺画像受付部１０４が受け付けた名刺画像と、パスワード受信部１０６が受信したパスワードとを有するユーザ個人情報をユーザ個人情報格納部１０１に蓄積する。また、例えば、ユーザ個人情報蓄積手段１０７３は、名刺認識手段１０７２が取得したユーザ情報と、ユーザ識別子生成手段１０７１が生成したユーザ識別子と、名刺画像受付部１０４が受信した名刺画像と、パスワード受信部１０６が受信したパスワードとを有するユーザ個人情報をユーザ個人情報格納部１０１に蓄積する。ユーザ個人情報蓄積手段１０７３がユーザ個人情報を蓄積する場合、すべての属性値が揃った態様で蓄積する必要はなく、ユーザ個人情報を構成するそれぞれの情報がそれぞれ異なるタイミングで蓄積されても良い。
【００５５】
交換名刺受付部１０８は、ユーザ識別子と当該ユーザ識別子で識別されるユーザが名刺交換した名刺画像とを有する実体名刺交換情報を受け付ける。つまり、実体名刺交換情報は、名刺交換した相手の名刺画像を含む情報である。また、ここで、受け付けとは、通常、ネットワーク等の通信手段による受信であるが、手動による入力受け付けなど、受け付ける手段は問わない。
【００５６】
交換名刺蓄積部１０９は、交換名刺受付部１０８が受け付けた実体名刺交換情報から、名刺交換情報を構成し、当該名刺交換情報を名刺交換情報格納部１０２に蓄積する。交換名刺蓄積部１０９は、例えば、交換名刺受付部１０８が受け付けたユーザ識別子と名刺画像とを有する名刺交換情報を名刺交換情報格納部１０２に蓄積する。また、交換名刺蓄積部１０９は、例えば、名刺画像を画像認識して取得した氏名や会社名などからユーザ個人情報格納部１０１を検索し、前記氏名や会社名などで特定できるユーザのユーザ識別子と、交換名刺受付部１０８が受け付けたユーザ識別子とを有する名刺交換情報を名刺交換情報格納部１０２に蓄積しても良い。交換名刺蓄積部１０９は、通常、ＭＰＵやメモリ等から実現され得る。交換名刺蓄積部１０９の処理手順は、通常、ソフトウェアで実現され、当該ソフトウェアはＲＯＭ等の記録媒体に記録されている。但し、ハードウェア（専用回路）で実現しても良い。
【００５７】
名刺出力指示受付部１１０は、名刺出力指示を受け付ける。名刺出力指示とは、ユーザと名刺交換した他のユーザの名刺画像を出力する指示であり、ユーザ識別子を有する指示である。このユーザ識別子は、前記ユーザを識別する情報であり、自分が名刺交換した相手の名刺画像を取得したいユーザを識別する情報である。名刺出力指示の入力手段は、キーボードやマウスやメニュー画面によるもの等、何でも良い。名刺出力指示受付部１１０は、キーボード等の入力手段のデバイスドライバーや、メニュー画面の制御ソフトウェア等で実現され得る。
【００５８】
名刺画像取得部１１１は、名刺出力指示が受け付けられた場合に、名刺出力指示が有するユーザ識別子と対応付けられた1以上の名刺画像を、名刺交換情報格納部１０２の名刺交換情報を用いて取得する。名刺画像取得部１１１は、例えば、名刺出力指示が受け付けられた場合に、名刺出力指示が有するユーザ識別子と対応付けられた1以上の名刺画像を、名刺交換情報を用いてユーザ個人情報格納部１０１から取得する。
【００５９】
名刺画像取得部１１１は、通常、ＭＰＵやメモリ等から実現され得る。名刺画像取得部１１１の処理手順は、通常、ソフトウェアで実現され、当該ソフトウェアはＲＯＭ等の記録媒体に記録されている。但し、ハードウェア（専用回路）で実現しても良い。
【００６０】
名刺画像出力部１１２は、名刺画像取得部１１１が取得した1以上の名刺画像を出力する。ここで、出力とは、通常、端末装置２への送信である。ただし、出力とは、ディスプレイへの表示、プロジェクターを用いた投影、プリンタへの印字、外部の装置への送信、記録媒体への蓄積、他の処理装置や他のプログラムなどへの処理結果の引渡しなどを含む概念である。
【００６１】
他ユーザ接触情報受付部１１３は、他ユーザ接触情報を受け付ける。他ユーザ接触情報とは、一のユーザが何らかの方法により取得した他のユーザ（他の人）の情報を含む。他の人の情報は、メールアドレスなど、他のユーザを特定できる情報である。また、他ユーザ接触情報とは、一のユーザから当該ユーザのユーザ識別子と他のユーザに関する情報である他ユーザ情報とを有する。また、他ユーザ情報とは、例えば、氏名、会社名、役職、メールアドレス、会社のＵＲＬ、電話番号、ＦＡＸ番号等のうちの1以上の情報である。他ユーザ情報は、通常、名刺に記載されている情報である。ここで、受け付けとは、通常、ネットワーク等の通信手段による受信であるが、ＦＡＸによる受信、手動による入力受け付けなど、受け付ける手段は問わない。
【００６２】
名刺交換質問部１１４は、他ユーザ接触情報受付部１１３が他ユーザ接触情報を受け付けた場合に、他ユーザ接触情報が有する他ユーザ情報と対になるユーザ通知先情報を、ユーザ個人情報格納部１０１から取得し、ユーザ通知先情報を用いて、名刺交換を行うか否かの問い合わせを行う。問い合わせとは、ユーザ通知先情報が示す通知先に、名刺交換を行うか否かの回答を行う画面を送信しても良いし、名刺交換を行うか否かの回答を指示する文などを送信しても良い。
【００６３】
名刺交換質問部１１４は、通常、ＭＰＵやメモリ等から実現され得る。名刺交換質問部１１４の処理手順は、通常、ソフトウェアで実現され、当該ソフトウェアはＲＯＭ等の記録媒体に記録されている。但し、ハードウェア（専用回路）で実現しても良い。
【００６４】
回答受付部１１５は、名刺交換を行うか否かの問い合わせに対応する回答を受け付ける。回答は、名刺交換を許可する回答、または名刺交換を許可しない回答のいずれかである。ここで、受け付けとは、通常、ネットワーク等の通信手段による受信であるが、ＦＡＸによる受信、手動による入力受け付けなど、受け付ける手段は問わない。
【００６５】
名刺交換処理部１１６は、名刺交換処理を行う。名刺交換処理は、バーチャルな名刺交換処理である。つまり、名刺交換処理は、一のユーザが名刺交換した１以上の相手先の名刺画像を出力させる場合に、バーチャルな名刺交換処理を行った他のユーザの名刺画像をも出力させるようにする処理である。名刺交換処理は、他ユーザ接触情報受付部１１３が他ユーザ接触情報を受け付けた場合に、他ユーザ接触情報が有する他ユーザ情報をキーとしてユーザ個人情報格納部１０１を検索し、他ユーザ情報に一致するユーザ情報と対になる名刺画像と、他ユーザ接触情報が有するユーザ識別子とを対応付ける名刺交換情報を、名刺交換情報格納部１０２に蓄積する。
【００６６】
名刺交換処理部１１６は、回答受付部１１５が受け付けた回答が、名刺交換を許可する回答である場合、他ユーザ情報に一致するユーザ情報と対になる名刺画像と、他ユーザ接触情報が有するユーザ識別子とを対応付ける名刺交換情報を、名刺交換情報格納部１０２に蓄積する。かかる処理を名刺交換処理という。なお、名刺交換処理は、他ユーザ情報に一致するユーザ情報と対になるユーザ識別子と、他ユーザ接触情報が有するユーザ識別子と対になる名刺画像とを対応付ける名刺交換情報をも、名刺交換情報格納部１０２に蓄積することは好適である。
【００６７】
また、名刺交換処理部１１６は、回答受付部１１５が受け付けた回答が、名刺交換を許可しない回答である場合、上記の名刺交換処理は行わない。
【００６８】
名刺交換処理部１１６は、通常、ＭＰＵやメモリ等から実現され得る。名刺交換処理部１１６の処理手順は、通常、ソフトウェアで実現され、当該ソフトウェアはＲＯＭ等の記録媒体に記録されている。但し、ハードウェア（専用回路）で実現しても良い。
【００６９】
判断手段１１６１は、他ユーザ接触情報受付部１１３が他ユーザ接触情報を受け付けた場合に、当該他ユーザ接触情報が有する他ユーザ情報に一致するユーザ情報がユーザ個人情報格納部１０１に存在するか否かを判断する。判断手段１１６１は、他ユーザ接触情報が有する他ユーザ情報をキーとしてユーザ個人情報格納部１０１を検索することにより、上記の判断を行う。
【００７０】
名刺交換処理手段１１６２は、判断手段１１６１が他ユーザ情報に一致するユーザ情報が存在すると判断した場合は、他ユーザ情報に一致するユーザ情報と対になる名刺画像と、他ユーザ接触情報が有するユーザ識別子とを対応付ける名刺交換情報を、名刺交換情報格納部１０２に蓄積する。さらに、他ユーザ情報に一致するユーザ情報が存在すると判断した場合、名刺交換処理手段１１６２は、他ユーザ情報に一致するユーザ情報と対になるユーザ識別子と、他ユーザ接触情報が有するユーザ識別子と対になる名刺画像とを対応付ける名刺交換情報をも、名刺交換情報格納部１０２に蓄積しても良い。
【００７１】
関係者ユーザ情報蓄積手段１１６３は、判断手段１１６１が他ユーザ情報に一致するユーザ情報が存在しないと判断した場合は、他ユーザ接触情報が有する他ユーザ情報を、他ユーザ接触情報受付部１１３が受け付けた他ユーザ接触情報が有するユーザ識別子に対応付けられた関係者ユーザ情報として、名刺交換情報格納部１０２に蓄積する。
【００７２】
ユーザ登録催促情報送信手段１１６４は、判断手段１１６１が他ユーザ情報に一致するユーザ情報が存在すると判断した場合は、他ユーザ情報が有する通知先に、ユーザ登録を促す情報を送信する。なお、他ユーザ情報が有する通知先は、例えば、メールアドレスで特定される通知先である。ユーザ登録を促す情報とは、ユーザ登録を促す文章でも良いし、ユーザ登録を促す画面等でも良い。送信とは、メール送信でも、ＨＴＴＰやＴＣＰ／ＩＰなどの通信プロトコルにより、ＨＴＭＬ等を送信することでも良い。
【００７３】
端末受付部２１は、情報や命令を受け付ける。情報や命令とは、例えば、自分の名刺画像、名刺交換した他人の名刺画像とユーザ識別子を有する実体名刺交換情報、他ユーザ接触情報、名刺交換を行うか否かの問い合わせに対応する回答、または名刺出力指示などの指示などである。情報や命令の入力手段は、タッチパネルやテンキーやキーボードやマウスやメニュー画面によるもの等、何でも良い。端末受付部２１は、タッチパネルやテンキーやキーボード等の入力手段のデバイスドライバーや、メニュー画面の制御ソフトウェア等で実現され得る。
【００７４】
端末送信部２２は、端末受付部２１が受け付けた情報や命令を名刺交換情報処理装置１に送信する。端末送信部２２は、通常、無線または有線の通信手段で実現されるが、放送手段で実現されても良い。
【００７５】
端末受信部２３は、名刺交換情報処理装置１から、情報や命令を受信する。情報や命令とは、例えば、１以上の名刺画像や、名刺交換を行うか否かの問い合わせなどである。端末受信部２３は、通常、無線または有線の通信手段で実現されるが、放送を受信する手段で実現されても良い。
【００７６】
端末出力部２４は、名刺交換情報処理装置１から受信した情報や命令などを出力する。ここでの出力とは、ディスプレイへの表示、プロジェクターを用いた投影、プリンタへの印字、外部の装置（例えば、表示装置）への送信、記録媒体への蓄積、他の処理装置や他のプログラムなどへの処理結果の引渡しなどを含む概念である。端末出力部２４は、ディスプレイ等の出力デバイスを含むと考えても含まないと考えても良い。端末出力部２４は、出力デバイスのドライバーソフトまたは、出力デバイスのドライバーソフトと出力デバイス等で実現され得る。
【００７７】
次に、名刺管理システムの動作について説明する。まず、名刺交換情報処理装置１の動作について、図３のフローチャートを用いて説明する。
【００７８】
（ステップＳ３０１）名刺画像受付部１０４は、ユーザ登録のためのユーザの名刺画像を受け付けたか否かを判断する。名刺画像を受け付ければステップＳ３０２に行き、名刺画像を受け付けなければステップＳ３０９に行く。
【００７９】
（ステップＳ３０２）パスワード入力画面送信部１０５は、パスワード入力画面格納部１０３からパスワード入力画面を読み出し、当該パスワード入力画面を端末装置２に送信する。
【００８０】
（ステップＳ３０３）パスワード受信部１０６は、ステップＳ３０２におけるパスワード入力画面の送信に対応して、端末装置２からパスワードを受信したか否かを判断する。パスワードを受信すればステップＳ３０４に行き、パスワードを受信しなければステップＳ３０３に行く。なお、ここで、パスワード入力画面を送信してから、所定の時間以上、時間が経過すれば、タイムアウトし、ステップＳ３０１に戻っても良い。
【００８１】
（ステップＳ３０４）ユーザ登録部１０７を構成するユーザ識別子生成手段１０７１は、他のユーザ識別子と重複しないように、ユーザ識別子を生成する。なお、ここで、ユーザ登録部１０７は、人手により入力されたユーザ識別子を受け付けても良い。
【００８２】
（ステップＳ３０５）名刺認識手段１０７２は、名刺画像を文字認識し、氏名、会社名、メールアドレス、電話番号、ＦＡＸ番号、役職のうちの１以上のユーザ情報を取得する。なお、ここでも、ユーザ登録部１０７は、人手により入力されたユーザ情報を受け付けても良い。
【００８３】
（ステップＳ３０６）ユーザ個人情報蓄積手段１０７３は、ユーザ識別子とユーザ情報と名刺画像とを有するユーザ個人情報を構成する。
【００８４】
（ステップＳ３０７）ユーザ個人情報蓄積手段１０７３は、ステップＳ３０５で構成したユーザ個人情報をユーザ個人情報格納部１０１に蓄積する。
【００８５】
（ステップＳ３０８）ユーザ登録部１０７または図示しない送信手段は、ユーザ登録完了の旨を、端末装置２に送信する。ステップＳ３０１に戻る。
【００８６】
（ステップＳ３０９）交換名刺受付部１０８は、実体名刺交換情報を受け付けたか否かを判断する。実体名刺交換情報を受け付ければステップＳ３１０に行き、実体名刺交換情報を受け付けなければステップＳ３１３に行く。
【００８７】
（ステップＳ３１０）交換名刺蓄積部１０９は、交換名刺受付部１０８が受け付けた実体名刺交換情報から、名刺交換情報を構成する。交換名刺蓄積部１０９は、例えば、実体名刺交換情報が有するユーザ識別子と、名刺画像とを有する名刺交換情報を構成する。なお、交換名刺蓄積部１０９は、例えば、名刺画像を文字認識（名刺認識）して、氏名、会社名などのユーザ情報を取得し、当該ユーザ情報とユーザ識別子と名刺画像とを有する名刺交換情報を構成しても良い。
【００８８】
（ステップＳ３１１）交換名刺蓄積部１０９は、ステップＳ３１０で構成した名刺交換情報を名刺交換情報格納部１０２に蓄積する。
【００８９】
（ステップＳ３１２）交換名刺蓄積部１０９または図示しない送信手段は、名刺交換情報登録完了の旨を、端末装置２に送信する。ステップＳ３０１に戻る。
【００９０】
（ステップＳ３１３）他ユーザ接触情報受付部１１３は、他ユーザ接触情報を受け付けたか否かを判断する。他ユーザ接触情報を受け付ければステップＳ３１４に行き、他ユーザ接触情報を受け付けなければステップＳ３１５に行く。
【００９１】
（ステップＳ３１４）名刺交換処理部１１６等は、名刺交換処理を行う。名刺交換処理について、図４のフローチャートを用いて説明する。ステップＳ３０１に戻る。
【００９２】
（ステップＳ３１５）名刺出力指示受付部１１０は、名刺出力指示を受け付けたか否かを判断する。名刺出力指示を受け付ければステップＳ３１６に行き、名刺出力指示を受け付けなければステップＳ３０１に戻る。
【００９３】
（ステップＳ３１６）名刺画像取得部１１１は、名刺出力指示が有するユーザ識別子と対応付けられた1以上の名刺画像を、名刺交換情報格納部１０２の名刺交換情報を用いて取得する。名刺画像取得部１１１は、名刺出力指示が有するユーザ識別子と対になる1以上の名刺画像を名刺交換情報格納部１０２から取得しても良いし、名刺出力指示が有するユーザ識別子と対になる１以上の情報（例えば、他のユーザのユーザ識別子）をキーとして、ユーザ個人情報格納部１０１から1以上の名刺画像を取得しても良い。
【００９４】
（ステップＳ３１７）名刺画像出力部１１２は、ステップＳ３１６で取得された1以上の名刺画像を端末装置２に送信する。ステップＳ３０１に戻る。
【００９５】
なお、図３のフローチャートにおいて、電源オフや処理終了の割り込みにより処理は終了する。
【００９６】
次に、ステップＳ３１４の名刺交換処理について、図４のフローチャートを用いて説明する。
【００９７】
（ステップＳ４０１）名刺交換処理部１１６を構成する判断手段１１６１は、他ユーザ接触情報受付部１１３が他ユーザ接触情報を受け付けた場合に、当該他ユーザ接触情報が有する他ユーザ情報（例えば、メールアドレス）に一致するユーザ情報（例えば、メールアドレス）を、ユーザ個人情報格納部１０１に対して検索する。
【００９８】
（ステップＳ４０２）判断手段１１６１は、ステップＳ４０１における検索の結果、ユーザ情報を取得できたか否かを判断する。ユーザ情報を取得できればステップＳ４０３に行き、ユーザ情報を取得できなければステップＳ４０９に行く。
【００９９】
（ステップＳ４０３）名刺交換質問部１１４は、他ユーザ接触情報が有する他ユーザ情報と対になるユーザ通知先情報（他ユーザ接触情報が有する他ユーザ情報そのものでも良い）を、ユーザ個人情報格納部１０１から取得し、ユーザ通知先情報が示す通知先に、他ユーザ接触情報が有するユーザ識別子で識別されるユーザと名刺交換を行うか否かの問い合わせを行う。なお、名刺交換質問部１１４は、実施の形態２におけるユーザ情報が有するユーザ通知先情報が示す通知先に、端末装置２のユーザと名刺交換を行うか否かの問い合わせを行っても良い。
【０１００】
（ステップＳ４０４）回答受付部１１５は、名刺交換を行うか否かの問い合わせに対応する回答を受け付けたか否かを判断する。回答を受け付ければステップＳ４０５に行き、回答を受け付けなければステップＳ４０４に戻る。なお、ここで、ステップＳ４０３の処理を完了した後、回答の受け付けを待たずにステップＳ３０１に戻っても良い。かかる場合、回答を受け付けた後に、ステップＳ４０５移行の処理が行われる。
【０１０１】
（ステップＳ４０５）名刺交換処理部１１６は、回答受付部１１５が受け付けた回答が、名刺交換を許可する回答「可」であるか否かを判断する。回答が「可」であればステップＳ４０６に行き、「可」でなければステップＳ４０８に行く。
【０１０２】
（ステップＳ４０６）名刺交換処理部１１６の名刺交換処理手段１１６２は、他ユーザ情報に一致するユーザ情報と対になる名刺画像と、他ユーザ接触情報が有するユーザ識別子とを対応付ける名刺交換情報を取得する。ここで、名刺交換処理手段１１６２は、他ユーザ情報に一致するユーザ情報と対になる名刺画像をユーザ個人情報格納部１０１から取得し、当該名刺画像と他ユーザ接触情報が有するユーザ識別子とを有する名刺交換情報を取得しても良いし、他ユーザ情報に一致するユーザ情報と対になるユーザ識別子をユーザ個人情報格納部１０１から取得し、当該ユーザ識別子と他ユーザ接触情報が有するユーザ識別子とを有する名刺交換情報を取得しても良い。名刺交換情報のデータ構造に応じて、名刺交換処理部１１６が取得する情報が異なる。
【０１０３】
また、ステップＳ４０６でさらに、名刺交換処理手段１１６２は、他ユーザ情報に一致するユーザ情報と対になるユーザ識別子と他ユーザ接触情報が有するユーザ識別子と対になる名刺画像とを対応付ける名刺交換情報を取得することは好適である。つまり、両者の名刺管理情報の中に他方の名刺画像を含む情報が格納されるようにすることは好適である。
【０１０４】
（ステップＳ４０７）名刺交換処理手段１１６２は、ステップＳ４０６で取得した名刺交換情報を、名刺交換情報格納部１０２に蓄積する。なお、ここで、名刺交換処理手段１１６２は、両者の名刺交換情報を名刺交換情報格納部１０２に蓄積することは好適である。
【０１０５】
（ステップＳ４０８）名刺交換処理手段１１６２、または図示しない送信手段は、処理完了の旨を端末装置２に送信する。上位処理にリターンする。
【０１０６】
（ステップＳ４０９）登録・名刺交換処理を行う。登録・名刺交換処理について、図５のフローチャートを用いて説明する。ステップＳ４０８に行く。
【０１０７】
なお、図４のフローチャートにおいて、ステップＳ４０９で、登録・名刺交換処理を行う代わり、または登録・名刺交換処理に加えて、関係者ユーザ情報蓄積手段１１６３は、他ユーザ情報を、他ユーザ接触情報が有するユーザ識別子と対応付けて、名刺交換情報格納部１０２に蓄積しても良い。
【０１０８】
次に、ステップＳ４０９の登録・名刺交換処理について、図５のフローチャートを用いて説明する。図５のフローチャートにおいて、図３、図４のフローチャートと同一のステップについて、その説明を省略する。
【０１０９】
（ステップＳ５０１）ユーザ登録催促情報送信手段１１６４は、他ユーザ情報が有する通知先に、ユーザ登録を促す情報を送信する。ステップＳ３０１に行く。
【０１１０】
次に、端末装置２の動作について説明する。端末装置２の端末受付部２１は、ユーザから情報や命令を受け付ける。情報や命令とは、例えば、ユーザ登録のための名刺画像と、当該名刺画像をアップロードする命令である。また、情報や命令とは、例えば、ユーザ識別子と当該ユーザが名刺交換した名刺画像とを有する実体名刺交換情報と、当該実体名刺交換情報を送信する命令である。また、情報や命令とは、例えば、他ユーザ接触情報と、当該他ユーザ接触情報を送信する命令である。ここで、受け付けとは、通常、手動による入力受け付けであるが、ネットワーク等の通信手段による受信や、記録媒体からの読み込みなど、受け付ける手段は問わない。
【０１１１】
次に、端末送信部２２は、端末受付部２１が受け付けた情報や命令を、名刺交換情報処理装置１に送信する。
【０１１２】
そして、端末受信部２３は、端末送信部２２の送信に対応して、名刺交換情報処理装置１から情報等を受信する。情報等とは、例えば、ユーザ登録完了の旨や、名刺交換情報登録完了の旨や、バーチャルな名刺交換が完了した旨や、1以上の名刺画像などである。
【０１１３】
次に、端末出力部２４は、端末受信部２３が受信した情報等を出力する。
【０１１４】
以下、本実施の形態における名刺管理システムの具体的な動作について説明する。名刺管理システムの概念図は図１である。
【０１１５】
今、ユーザ個人情報格納部１０１は、図６に示すユーザ個人情報管理表を保持している。かかるユーザ個人情報管理表は、名利管理機能を有する名刺交換情報処理装置１を利用できるユーザの情報を管理する表である。ユーザ個人情報管理表は、「ＩＤ」「ユーザ識別子」「パスワード」「ユーザ情報」「名刺画像」を有するレコードを1以上管理している。「ユーザ情報」は、「氏名」「通知先情報（メールアドレス）」「会社名」等を有する。
【０１１６】
また、名刺交換情報格納部１０２は、図７に示す名刺交換情報管理表を保持している。名刺交換情報管理表は、名刺交換情報を管理する表である。名刺交換情報管理表は、「ＩＤ」「ユーザ識別子」「名刺交換相手名刺画像」「名刺交換相手ユーザ識別子」「関係者ユーザ情報」を有する。「名刺交換相手名刺画像」は、ユーザ識別子で識別されるユーザが名刺交換を行った相手の名刺画像である。「名刺交換相手ユーザ識別子」は、ユーザ識別子で識別されるユーザが名刺交換を行った相手のユーザ識別子である。「関係者ユーザ情報」は、ユーザ識別子で識別されるユーザが名刺交換したり、名刺交換しなかったが面会をしたり、会議をしたり等、何らかの関連のある人の情報である。「関係者ユーザ情報」は、ここでは、「氏名」「メールアドレス」「会社名」などを有する。図７の「ＩＤ＝１」のレコードは、ユーザ識別子「１００１」のユーザが、ユーザ識別子「１００２」のユーザと名刺交換をしたことを示している。
【０１１７】
また、パスワード入力画面格納部１０３は、図８に示すパスワード入力画面を格納している、とする。パスワード入力画面は、例えば、ＨＴＭＬにより、記述されている。
【０１１８】
かかる状況において、ユーザ「井上一」が自分の端末装置２が保持しているスキャナを用いて読み取った自分の名刺画像を、端末装置２から、名刺交換情報処理装置１にアップロードした、とする。
【０１１９】
そして、端末受付部２１は、名刺画像を含むユーザ登録命令を受け付ける。次に、端末送信部２２は、図９の名刺画像を含むユーザ登録命令を名刺交換情報処理装置１に送信する。
【０１２０】
次に、名刺交換情報処理装置１の名刺画像受付部１０４は、名刺画像を含むユーザ登録命令を受信する。
【０１２１】
そして、パスワード入力画面送信部１０５は、パスワード入力画面格納部１０３からパスワード入力画面を読み出し、当該パスワード入力画面を、ユーザ登録命令を送信してきた端末装置２に送信する。
【０１２２】
次に、端末装置２の端末受信部２３は、パスワード入力画面を受信する。そして、端末出力部２４は、パスワード入力画面を出力する。そして、次に、ユーザは、図１０に示すように、パスワード入力画面に対してパスワードを２度入力し、「登録」ボタンを押下した、とする。
【０１２３】
次に、端末受付部２１は、パスワード「ｉｈ０４２３」を含むパスワード送信命令を受け付ける。そして、端末送信部２２は、パスワード「ｉｈ０４２３」を名刺交換情報処理装置１に送信する。
【０１２４】
次に、名刺交換情報処理装置１のパスワード受信部１０６は、パスワード「ｉｈ０４２３」を受信する。
【０１２５】
次に、ユーザ登録部１０７を構成するユーザ識別子生成手段１０７１は、他のユーザ識別子と重複しないように、ユーザ識別子「１３４８」を生成する。なお、ユーザ識別子生成手段１０７１は、ここでは、ユーザ識別子の最大値に１を加えて、新たなユーザ識別子を生成する、とする。
【０１２６】
次に、名刺認識手段１０７２は、受信された名刺画像を文字認識し、氏名「井上一」、会社名「株式会社ＸＹ」、メールアドレス「ｉｈ＠ｘｙ．ｊｐ」、電話番号「０６−６１１１−１２３４」、ＦＡＸ番号「０６−６１１１−１２３５」等のユーザ情報を取得した、とする。なお、ここで、人手で、上記の文字認識結果を修正したり、名刺画像に記載されている氏名等を入力したりすることは好適である。
【０１２７】
次に、ユーザ個人情報蓄積手段１０７３は、ユーザ識別子とパスワードとユーザ情報と名刺画像等とを有するユーザ個人情報「１３４８，ｉｈ０４２３，井上一，ｉｈ＠ｘｙ．ｊｐ，株式会社ＸＹ，・・・・」を構成する。そして、ユーザ個人情報蓄積手段１０７３は、構成したユーザ個人情報をユーザ個人情報管理表に蓄積する。そして、図１１に示すユーザ個人情報管理表を得る。以上の処理により、名刺画像をアップロードすることにより、ユーザ登録ができた。
【０１２８】
次に、ユーザ「井上一」は、ＡＢ株式会社の山田一郎さんと名刺交換を行った、とする。そして、ユーザ「井上一」は、ＡＢ株式会社の山田一郎さんの名刺画像を読み込ませ、当該名刺画像とユーザ識別子「１３４８」を含む実体名刺交換情報を、端末装置２に入力する。すると、端末装置２の端末受付部２１は当該実体名刺交換情報を受け付け、端末送信部２２が当該実体名刺交換情報を名刺交換情報処理装置１に送信する。
【０１２９】
次に、名刺交換情報処理装置１の交換名刺受付部１０８は、実体名刺交換情報を受信する。そして、交換名刺蓄積部１０９は、交換名刺受付部１０８が受信した実体名刺交換情報から、名刺交換情報「ユーザ識別子：１３４８，山田一郎さんの名刺画像，山田一郎さんのユーザ識別子：１００１，山田一郎さんの関係者ユーザ情報」を構成する。なお、交換名刺蓄積部１０９は、山田一郎さんの名刺画像を文字認識し、氏名「山田一郎」、会社名「ＡＢ株式会社」等を取得し、名刺交換情報を構成する。また、交換名刺蓄積部１０９は、山田一郎さんの名刺画像を文字認識して取得した一部の情報（例えば、氏名）をキーとして、図６のユーザ個人情報管理表を検索し、山田一郎さんのユーザ識別子：１００１、山田一郎さんの関係者ユーザ情報を取得することは好適である。次に、交換名刺蓄積部１０９は、構成した名刺交換情報を図６に示す名刺交換情報管理表に蓄積し、図１２の名刺交換情報管理表を得る。そして、交換名刺蓄積部１０９は、名刺交換情報登録完了の旨を、端末装置２に送信する。
【０１３０】
次に、ユーザ「井上一」は、田中花子さんを紹介頂き、田中花子さんのメールアドレス「ｔｈ＠ｘ．ｃｏｍ」を知り、当該メールアドレスを含む他ユーザ接触情報を端末装置２に入力した、とする。
【０１３１】
次に、端末装置２の端末受付部２１は、ユーザ「井上一」のユーザ識別子「１３４８」とメールアドレス「ｔｈ＠ｘ．ｃｏｍ」を含む他ユーザ接触情報を受け付ける。そして、端末送信部２２は、当該他ユーザ接触情報を名刺交換情報処理装置１に送信する。
【０１３２】
次に、他ユーザ接触情報受付部１１３は、メールアドレス「ｔｈ＠ｘ．ｃｏｍ」を含む他ユーザ接触情報を受信する。
【０１３３】
そして、次に、名刺交換処理部１１６等は、以下のように名刺交換処理を行う。つまり、名刺交換処理部１１６を構成する判断手段１１６１は、メールアドレス「ｔｈ＠ｘ．ｃｏｍ」を含む他ユーザ情報に一致するユーザ情報を、図１１のユーザ個人情報管理表に対して検索する。そして、判断手段１１６１は、検索の結果、「田中花子」のユーザ情報をユーザ個人情報管理表から取得する。
【０１３４】
次に、名刺交換質問部１１４は、他ユーザ接触情報が有する他ユーザ情報と対になるユーザ通知先情報「ｔｈ＠ｘ．ｃｏｍ」を、ユーザ個人情報管理表から取得し、ユーザ通知先情報「ｔｈ＠ｘ．ｃｏｍ」が示す通知先に、名刺交換を行うか否かの問い合わせを行う。なお、かかる名刺交換を行うか否かの問い合わせは、例えば、図１３のＷｅｂページを出力するためのＵＲＬと、名刺交換を促す文章が記載されたメールの送信である。そして、「田中花子」は、メールに記載されているＵＲＬを指示し、図１３の画面を端末装置２に表示させた、とする。そして、「田中花子」は、図１３の画面のアンカー「名刺交換する」をマウス等の入力手段を用いて押下した、とする。そして、端末送信部２２は、端末受付部２１が受け付けた「名刺交換する」の情報を、名刺交換情報処理装置１に送信する。
【０１３５】
次に、回答受付部１１５は、名刺交換を行う旨の回答を受け付ける。そして、名刺交換処理部１１６は、回答受付部１１５が受け付けた回答が、名刺交換を許可する回答「可」であると判断する。
【０１３６】
名刺交換処理部１１６の名刺交換処理手段１１６２は、メールアドレス「ｔｈ＠ｘ．ｃｏｍ」を含む他ユーザ情報に一致するユーザ情報と対になる名刺画像（田中花子さんの名刺画像）と、他ユーザ接触情報が有するユーザ識別子「１３４８」とを対応付ける名刺交換情報を取得する。
【０１３７】
また、名刺交換処理部１１６の名刺交換処理手段１１６２は、メールアドレス「ｔｈ＠ｘ．ｃｏｍ」と対になるユーザ識別子「１００２」と他ユーザ接触情報が有するユーザ識別子「１３４８」と対になる「井上一」の名刺画像とを対応付ける名刺交換情報を取得する。
【０１３８】
次に、名刺交換処理手段１１６２は、取得した２つの名刺交換情報を、名刺交換情報管理表に蓄積する。そして、図１４に示す名刺交換情報管理表が得られる。なお、ここで、名刺交換処理部１１６は、メールアドレス「ｔｈ＠ｘ．ｃｏｍ」と対になるユーザ識別子「１００２」と他ユーザ接触情報が有するユーザ識別子「１３４８」と対になる「井上一」の名刺画像とを対応付ける名刺交換情報（図１４の「ＩＤ＝３６７４」のレコード）を蓄積することは必須ではない。「井上一」が、名刺交換の許可を入力したわけではないからである。以上の処理により、バーチャルな名刺交換が実現できた。
【０１３９】
次に、ユーザ「井上一」は、「加藤三郎」を紹介頂き、加藤三郎さんのメールアドレス「ｋｓ＠d．ｃｏｍ」を知り、当該メールアドレスを含む他ユーザ接触情報を端末装置２に入力した、とする。
【０１４０】
次に、端末装置２の端末受付部２１は、ユーザ「井上一」のユーザ識別子「１３４８」とメールアドレス「ｋｓ＠d．ｃｏｍ」を含む他ユーザ接触情報を受け付ける。そして、端末送信部２２は、当該他ユーザ接触情報を名刺交換情報処理装置１に送信する。
【０１４１】
次に、他ユーザ接触情報受付部１１３は、メールアドレス「ｋｓ＠d．ｃｏｍ」を含む他ユーザ接触情報を受信する。
【０１４２】
そして、次に、名刺交換処理部１１６等は、以下のように名刺交換処理を行う。つまり、名刺交換処理部１１６を構成する判断手段１１６１は、メールアドレス「ｋｓ＠d．ｃｏｍ」を含む他ユーザ情報に一致するユーザ情報を、図１１のユーザ個人情報管理表に対して検索する。そして、判断手段１１６１は、検索の結果、「加藤三郎」のユーザ情報を取得できなかった、と判断する。
【０１４３】
次に、ユーザ登録催促情報送信手段１１６４は、他ユーザ情報が有する通知先「ｋｓ＠d．ｃｏｍ」に、ユーザ登録を促すメールを送信する。このメールには、あるＵＲＬが記載されている、とする。
【０１４４】
次に、「加藤三郎」は、端末装置２を用いて、受信されたメールをオープンし、名刺交換のリクエストがあった旨のメール本文を読み、ＵＲＬをマウスで押下した、とする。すると、図１５に示す画面が「加藤三郎」の端末装置２に出力される。図１５に示す画面は、ユーザ登録と名刺交換の両方またはユーザ登録を促す画面である。また、名刺交換情報処理装置１は、「加藤三郎」の名刺画像を保持していないので、図１５の「あなたの名刺」の画像は空である。
【０１４５】
次に、「加藤三郎」は、「登録して名刺交換する」を押下した、とする。名刺画像のアップロードを促す画面が「加藤三郎」の端末装置２に出力される。そして、「加藤三郎」が端末装置２から自分の名刺画像を、名刺交換情報処理装置１にアップロードした、とする。
【０１４６】
そして、端末受付部２１は、名刺画像を含むユーザ登録命令を受け付ける。次に、端末送信部２２は、「加藤三郎」の名刺画像を含むユーザ登録命令を名刺交換情報処理装置１に送信する。
【０１４７】
次に、名刺交換情報処理装置１の名刺画像受付部１０４は、名刺画像を含むユーザ登録命令を受信する。
【０１４８】
そして、パスワード入力画面送信部１０５は、パスワード入力画面格納部１０３からパスワード入力画面を読み出し、当該パスワード入力画面を、ユーザ登録命令を送信してきた端末装置２に送信する。
【０１４９】
次に、端末装置２の端末受信部２３は、パスワード入力画面を受信する。そして、端末出力部２４は、パスワード入力画面を出力する。そして、次に、ユーザは、図８に示すパスワード入力画面に対してパスワード「９ｋａｔｏ１」を２度入力し、「登録」ボタンを押下した、とする。
【０１５０】
次に、端末受付部２１は、パスワード「９ｋａｔｏ１」を含むパスワード送信命令を受け付ける。そして、端末送信部２２は、パスワード「９ｋａｔｏ１」を名刺交換情報処理装置１に送信する。
【０１５１】
次に、名刺交換情報処理装置１のパスワード受信部１０６は、パスワード「９ｋａｔｏ１」を受信する。
【０１５２】
次に、ユーザ登録部１０７を構成するユーザ識別子生成手段１０７１は、他のユーザ識別子と重複しないように、ユーザ識別子「１３４９」を生成する。
【０１５３】
次に、名刺認識手段１０７２は、受信された名刺画像を文字認識し、氏名「加藤三郎」、会社名「株式会社ｄ」、電話番号「０３−９９８８−７７７７」、ＦＡＸ番号「０３−９９８８−７７７８」等のユーザ情報を取得した、とする。
【０１５４】
次に、ユーザ個人情報蓄積手段１０７３は、ユーザ識別子とパスワードとユーザ情報と名刺画像等とを有するユーザ個人情報「１３４９，９ｋａｔｏ１，加藤三郎，ｋｓ＠d．ｃｏｍ，株式会社ｄ，・・・・」を構成する。なお、メールアドレス「ｋｓ＠d．ｃｏｍ」は、他ユーザ接触情報受付部１１３が受け付けた他ユーザ接触情報から取得しても良いし、名刺画像から文字認識処理により得ても良い。
【０１５５】
そして、ユーザ個人情報蓄積手段１０７３は、構成したユーザ個人情報をユーザ個人情報管理表に蓄積する。そして、図１６に示すユーザ個人情報管理表が得られる。以上の処理により、名刺画像をアップロードすることにより、「加藤三郎」のユーザ登録ができた。
【０１５６】
次に、「加藤三郎」は「登録して名刺交換する」を押下したので、「井上一」との名刺交換を許可している。
【０１５７】
そして、名刺交換処理手段１１６２は、他ユーザ情報に一致するユーザ情報「ｋｓ＠d．ｃｏｍ」と対になる「加藤三郎」の名刺画像と、他ユーザ接触情報が有するユーザ識別子「１３４８」とを対応付ける名刺交換情報を取得する。
【０１５８】
また、名刺交換処理手段１１６２は、他ユーザ情報に一致するユーザ情報「ｋｓ＠d．ｃｏｍ」と対になるユーザ識別子「１３４９」と他ユーザ接触情報が有するユーザ識別子「１３４８」と対になる「井上一」の名刺画像とを対応付ける名刺交換情報を取得する。
【０１５９】
次に、名刺交換処理手段１１６２は、取得した２つの名刺交換情報を、名刺交換情報管理表に蓄積する。そして、図１７に示す名刺交換情報管理表が得られる。以上の処理により、ユーザ登録とバーチャルな名刺交換の両方が実現できた。
【０１６０】
次に、「山田一郎」が、名刺交換情報処理装置１にログインしようと、「山田一郎」のユーザ識別子「１００１」、パスワード「ｙ０１０２」とを端末装置２に入力した、とする。
【０１６１】
次に、端末受付部２１はユーザ識別子「１００１」等を受け付け、端末送信部２２は当該ユーザ識別子「１００１」等を名刺交換情報処理装置１に送信する。
【０１６２】
次に、名刺交換情報処理装置１の図示しない認証部は、ユーザ識別子「１００１」、パスワード「ｙ０１０２」とを用いて、ユーザ個人情報管理表を検索し、ユーザ識別子「１００１」、パスワード「ｙ０１０２」の対が登録されている、ことを検知する。
【０１６３】
そして、名刺交換情報処理装置１の図示しないスタート画面送信部は、図１８に示すスタート画面を端末装置２に送信する。なお、スタート画面送信部は、ユーザ識別子「１００１」、パスワード「ｙ０１０２」と対になる名刺画像を読み出し、当該名刺画像がスタートボタンとなる画面を構成し、端末装置２に送信する。
【０１６４】
そして、「山田一郎」の端末装置２の端末受信部２３は、スタート画面を受信する。そして、端末出力部２４は、端末受信部２３が受信したスタート画面を出力する。
【０１６５】
次に、「山田一郎」は、自分の名刺画像からなるボタンをクリックして、名刺交換情報処理装置１に対する各種の処理（例えば、名刺出力指示の入力など）が可能になる、とする。
【０１６６】
次に、「山田一郎」は、端末装置２に対して、名刺出力指示を入力した、とする。名刺出力指示は、「山田一郎」のユーザ識別子「１００１」、パスワード「ｙ０１０２」とを有する、とする。
【０１６７】
そして、端末受付部２１は名刺出力指示を受け付け、端末送信部２２は当該名刺出力指示を名刺交換情報処理装置１に送信する。
【０１６８】
次に、名刺出力指示受付部１１０は、ユーザ識別子「１００１」、パスワード「ｙ０１０２」とを有する名刺出力指示を受信する。
【０１６９】
次に、名刺画像取得部１１１は、名刺出力指示が有するユーザ識別子「１００１」と対応付けられた1以上の名刺画像や関係者ユーザ情報を、名刺交換情報管理表から読み出す。なお、名刺画像取得部１１１は、名刺出力指示が有するユーザ識別子「１００１」と対応付けられた名刺画像が存在する場合は、名刺画像を読み出し、名刺画像が存在しない場合は存在する他の情報（通常、関係者ユーザ情報）を読み出すことは好適である。
【０１７０】
次に、名刺画像出力部１１２は、読み出された1以上の名刺画像等を、端末装置２に送信する。
【０１７１】
次に、「山田一郎」の端末装置２の端末受信部２３は、1以上の名刺画像等を受信する。そして、端末出力部２４は、端末受信部２３が受信した1以上の名刺画像等を、図１９に示すように出力する。図１９において、名刺交換をリクエストしている場合は、その旨が名刺画像等の上に出力されている。また、図１９において、名刺画像が存在しない場合は、他の人のメールアドレス等の情報のみが出力されている。なお、図１９は、名刺交換した名刺画像の出力態様の一例であり、名刺画像の出力態様は問わないことは言うまでもない。
【０１７２】
以上、本実施の形態によれば、バーチャルな名刺交換を実現することができる。そのため、情報通信技術を用いたヒューマンネットワークの拡大を図ることができる。
【０１７３】
また、本実施の形態によれば、接触して取得した他人のメールアドレス等の情報のみでも管理でき、また、かかる情報を用いて、当該他人に本システムへの登録や名刺交換を促すことができ、効果的に名刺交換情報処理装置の利用者を増加させることができ、効果的に名刺交換を促すことができる。
【０１７４】
また、本実施の形態によれば、ユーザが許可した場合のみ、バーチャルな名刺交換を行うこともでき、ユーザは安心して、バーチャルな名刺交換を実現することができる。
【０１７５】
また、本実施の形態によれば、名刺画像を送信することにより、ユーザ登録を行うことができる。そのため、ユーザにとって、非常に容易にユーザ登録が行える。
【０１７６】
なお、本実施の形態によれば、主として、ユーザが許可した場合のみ、バーチャルな名刺交換を行う態様を説明したが、ユーザの許可を要せずに、バーチャルな名刺交換を行っても良い。かかる場合、非常に簡単に短時間にバーチャルな名刺交換を行える。
【０１７７】
また、本実施の形態において、各ユーザが自分の最新の名刺情報や名刺画像を登録するようにすれば、すべてのユーザは、常に、名刺交換した他のユーザの最新の名刺情報と名刺画像を入手、利用することができる。
【０１７８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における名刺交換情報処理装置１を実現するソフトウェアは、以下のようなプログラムである。つまり、このプログラムは、記憶媒体に、ユーザを識別する情報であるユーザ識別子と当該ユーザに関する情報であるユーザ情報と当該ユーザの名刺画像とを有する２以上のユーザ個人情報を格納し、かつ、ユーザ識別子と当該ユーザ識別子で識別されるユーザが名刺交換したユーザの名刺画像とを対応付ける情報である１以上の名刺交換情報を格納し得し、コンピュータを、一のユーザから当該ユーザのユーザ識別子と他のユーザに関する情報である他ユーザ情報とを有する他ユーザ接触情報を受け付ける他ユーザ接触情報受付部と、前記他ユーザ接触情報受付部が他ユーザ接触情報を受け付けた場合に、前記他ユーザ接触情報が有する他ユーザ情報をキーとして前記記憶媒体を検索し、当該他ユーザ情報に一致するユーザ情報と対になる名刺画像と、前記他ユーザ接触情報が有するユーザ識別子とを対応付ける名刺交換情報を、前記記憶媒体に蓄積する名刺交換処理部として機能させるためのプログラム、である。
【０１７９】
また、上記プログラムにおいて、前記名刺交換情報は、ユーザ識別子とユーザの名刺画像と当該ユーザと接触した他のユーザに関する情報である関係者ユーザ情報とを対応付ける情報であり、前記名刺交換処理部は、前記他ユーザ接触情報受付部が他ユーザ接触情報を受け付けた場合に、前記他ユーザ接触情報が有する他ユーザ情報をキーとして前記記憶媒体を検索し、当該他ユーザ情報に一致するユーザ情報が存在するか否かを判断する判断手段と、前記判断手段が前記他ユーザ情報に一致するユーザ情報が存在すると判断した場合は、当該他ユーザ情報に一致するユーザ情報と対になる名刺画像と、前記他ユーザ接触情報が有するユーザ識別子とを対応付ける名刺交換情報を、前記記憶媒体に蓄積する名刺交換処理手段とを具備するものとして、コンピュータを機能させることは好適である。
【０１８０】
また、上記プログラムにおいて、前記名刺交換処理部は、前記判断手段が前記他ユーザ情報に一致するユーザ情報が存在しないと判断した場合は、前記他ユーザ接触情報が有する他ユーザ情報を、前記他ユーザ接触情報受付部が受け付けた他ユーザ接触情報が有するユーザ識別子に対応付けられた前記関係者ユーザ情報として、前記記憶媒体に蓄積する関係者ユーザ情報蓄積手段、または、前記判断手段が前記他ユーザ情報に一致するユーザ情報が存在しないと判断した場合は、前記他ユーザ情報が有する通知先に、ユーザ登録を促す情報を送信するユーザ登録催促情報送信手段をさらに具備するものとして、コンピュータを機能させることは好適である。
【０１８１】
また、上記プログラムにおいて、前記ユーザ情報は、ユーザ識別子で識別されるユーザに対する問い合わせ先を示すユーザ通知先情報を有し、前記他ユーザ接触情報受付部が他ユーザ接触情報を受け付けた場合に、前記他ユーザ接触情報が有する他ユーザ情報と対になるユーザ通知先情報を、前記記憶媒体から取得し、当該ユーザ通知先情報を用いて、名刺交換を行うか否かの問い合わせを行う名刺交換質問部と、前記名刺交換を行うか否かの問い合わせに対応する回答を受け付ける回答受付部とをさらに具備し、前記名刺交換処理部は、前記回答受付部が受け付けた回答が、名刺交換をするという回答である場合、前記他ユーザ情報に一致するユーザ情報と対になる名刺画像と、前記他ユーザ接触情報が有するユーザ識別子とを対応付ける名刺交換情報を、前記記憶媒体に蓄積する
ものとして、コンピュータを機能させることは好適である。
【０１８２】
また、上記プログラムにおいて、前記ユーザ個人情報は、ユーザの名刺画像とパスワードとを有し、パスワードを入力する画面であるパスワード入力画面を格納しているパスワード入力画面格納部と、ユーザの名刺画像を受け付ける名刺画像受付部と、前記名刺画像を受け付けた後に、パスワード入力画面を前記端末装置に送信するパスワード入力画面送信部と、前記パスワード入力画面の送信に対応して、前記端末装置からパスワードを受信するパスワード受信部と、前記名刺画像受付部が受信した名刺画像と、前記パスワード受信部が受信したパスワードとを有するユーザ個人情報を前記記憶媒体に蓄積するユーザ登録部とをさらに具備するものとして、コンピュータを機能させることは好適である。
【０１８３】
また、上記プログラムにおいて、前記ユーザ登録部は、他のユーザ識別子と重複しないように、ユーザ識別子を生成するユーザ識別子生成手段と、前記ユーザ識別子生成手段が生成したユーザ識別子と、前記名刺画像受付部が受信した名刺画像と、前記パスワード受信部が受信したパスワードとを有するユーザ個人情報を前記記憶媒体に蓄積するユーザ個人情報蓄積手段とを具備するものとして、コンピュータを機能させることは好適である。
【０１８４】
また、上記プログラムにおいて、前記ユーザ登録部は、前記名刺画像を文字認識し、氏名、会社名、メールアドレス、電話番号、ＦＡＸ番号、役職のうちの１以上のユーザ情報を取得する名刺認識手段をさらに具備し、前記ユーザ個人情報蓄積手段は、前記名刺認識手段が取得したユーザ情報と、前記ユーザ識別子生成手段が生成したユーザ識別子と、前記名刺画像受付部が受信した名刺画像と、前記パスワード受信部が受信したパスワードとを有するユーザ個人情報を前記記憶媒体に蓄積するものとして、コンピュータを機能させることは好適である。
【０１８５】
また、上記プログラムにおいて、名刺交換した他のユーザの名刺画像を出力する指示であり、ユーザ識別子を有する指示である名刺出力指示を受け付ける名刺出力指示受付部と、前記名刺出力指示を受け付けた場合に、当該名刺出力指示が有するユーザ識別子と対応付けられた1以上の名刺画像を、前記記憶媒体の名刺交換情報を用いて取得する名刺画像取得部と、前記名刺画像取得部が取得した1以上の名刺画像を出力する名刺画像出力部とをさらに具備するものとして、コンピュータを機能させることは好適である。
（実施の形態２）
【０１８６】
本実施の形態において、入力されたユーザ識別子で識別されるユーザと同一グループの１以上のユーザのユーザ情報をサーバ装置から受信し、当該１以上のユーザ情報を用いて、バーチャルな名刺交換を実現する名刺管理システムについて説明する。
【０１８７】
図２０は、本実施の形態における名刺管理システム３の概念図である。名刺管理システム３は、名刺交換情報処理装置４、サーバ装置５、および1以上の端末装置２を備える。サーバ装置５は、ＳＮＳのサーバや、企業のサーバ等の、ユーザをグループ管理しているサーバである。なお、グループは、通常、２以上のグループであるが、１つのグループでも良い。
【０１８８】
図２１は、本実施の形態における名刺管理システム３を構成する名刺交換情報処理装置４のブロック図である。
【０１８９】
名刺交換情報処理装置４は、ユーザ個人情報格納部１０１、名刺交換情報格納部１０２、パスワード入力画面格納部１０３、名刺画像受付部１０４、パスワード入力画面送信部１０５、パスワード受信部１０６、ユーザ登録部１０７、交換名刺受付部１０８、交換名刺蓄積部１０９、名刺出力指示受付部１１０、名刺画像取得部１１１、名刺画像出力部１１２、他ユーザ接触情報受付部１１３、ユーザ識別子受付部４１、ユーザ識別子送信部４２、名刺交換候補ユーザ情報受信部４３、選択画面構成出力部４４、ユーザ選択指示受付部４５、名刺交換質問部４６、回答受付部４７、および名刺交換処理部４８を備える。
【０１９０】
ユーザ登録部１０７は、ユーザ識別子生成手段１０７１、名刺認識手段１０７２、およびユーザ個人情報蓄積手段１０７３を備える。
【０１９１】
名刺交換処理部４８は、判断手段１１６１、名刺交換処理手段１１６２、および関係者ユーザ情報蓄積手段１１６３を備える。
【０１９２】
また、図２２は、本実施の形態における名刺管理システム３を構成するサーバ装置５のブロック図である。
【０１９３】
サーバ装置５は、グループ情報格納部５１、ユーザ識別子受信部５２、名刺交換候補ユーザ情報取得部５３、および名刺交換候補ユーザ情報送信部５４を備える。
【０１９４】
端末受付部２１は、情報や命令を受け付ける。情報や命令とは、例えば、ユーザ識別子や名刺交換を行うか否かの回答等である。
【０１９５】
端末送信部２２は、端末受付部２１が受け付けた情報や命令を名刺交換情報処理装置４に送信する。ただし、端末送信部２２は、ユーザ識別子をサーバ装置５に送信しても良い。端末送信部２２は、通常、無線または有線の通信手段で実現されるが、放送手段で実現されても良い。
【０１９６】
端末受信部２３は、名刺交換情報処理装置４から、情報や命令を受信する。情報や命令とは、例えば、１以上の名刺画像や、名刺交換を行うか否かの問い合わせなどである。端末受信部２３は、通常、無線または有線の通信手段で実現されるが、放送を受信する手段で実現されても良い。
【０１９７】
端末出力部２４は、名刺交換情報処理装置４から受信した情報や命令などを出力する。ここでの出力とは、ディスプレイへの表示、プロジェクターを用いた投影、プリンタへの印字、外部の装置（例えば、表示装置）への送信、記録媒体への蓄積、他の処理装置や他のプログラムなどへの処理結果の引渡しなどを含む概念である。端末出力部２４は、ディスプレイ等の出力デバイスを含むと考えても含まないと考えても良い。端末出力部２４は、出力デバイスのドライバーソフトまたは、出力デバイスのドライバーソフトと出力デバイス等で実現され得る。
【０１９８】
ユーザ識別子受付部４１は、ユーザ識別子を受け付ける。ここで受け付けとは、通常、端末装置２からの受信である。ただし、ユーザ識別子受付部４１は、ユーザからユーザ識別子を受け付けても良い。また、ここでのユーザ識別子は、通常、サーバ装置５で管理しているユーザ識別子である。なお、サーバ装置５で管理しているユーザ識別子と、名刺交換情報処理装置４で管理しているユーザ識別とが同一でも良い。ユーザ識別子受付部４１は、通常、無線または有線の通信手段で実現されるが、放送手段で実現されても良い。
【０１９９】
ユーザ識別子送信部４２は、ユーザ識別子受付部４１が受け付けたユーザ識別子を、サーバ装置５に送信する。ここでのユーザ識別子の送信は、サーバ装置５に対して、ユーザ識別子で識別されるユーザと同一のグループに属するユーザのユーザ情報の送付を促す命令の送信と同意義である。この命令は、ユーザ識別子を有する。なお、ユーザと同一のグループに属するユーザのユーザ情報は、後述する名刺交換候補ユーザ情報である。ユーザ識別子送信部４２は、通常、無線または有線の通信手段で実現されるが、放送手段で実現されても良い。
【０２００】
名刺交換候補ユーザ情報受信部４３は、ユーザ識別子の送信（上記の命令の送信）に応じて、サーバ装置５から名刺交換候補ユーザ情報を受信する。名刺交換候補ユーザ情報とは、名刺交換を行う候補である１以上のユーザのユーザ情報である。名刺交換候補ユーザ情報は、ユーザ識別子と対になるグループ識別子と同一のグループ識別子を有するグループ情報が有する１以上のユーザ情報である。名刺交換候補ユーザ情報受信部４３は、通常、無線または有線の通信手段で実現されるが、放送を受信する手段で実現されても良い。
【０２０１】
選択画面構成出力部４４は、名刺交換候補ユーザ情報受信部４３が受信した名刺交換候補ユーザ情報に含まれる１以上のユーザ情報を用いて、選択画面を構成し、出力する。選択画面とは、名刺交換するユーザを選択するための画面である。選択画面の中に、ユーザ情報が有するすべての情報が含まれる必要はなく、例えば、氏名と性別のみ含まれても良い。ここでの出力とは、通常、端末装置２への送信である。なお、選択画面は、画面を構成するためのＨＴＭＬのデータ、画面を構成するためのテキストデータ、または画面を構成するためのプログラム等、その構造は何でも良い。
【０２０２】
また、選択画面構成出力部４４は、名刺交換候補ユーザ情報受信部４３が受信した名刺交換候補ユーザ情報に含まれる１以上のユーザ情報であり、ユーザ情報に対応する名刺画像がユーザ個人情報格納部１０１に存在するユーザ情報を選択し、当該選択した１以上のユーザ情報を用いて、選択画面を構成し、出力しても良い。
【０２０３】
なお、選択画面構成出力部４４は、通常、名刺交換候補ユーザ情報受信部４３が受信した名刺交換候補ユーザ情報に含まれる１以上の各ユーザ情報の一部（例えば、氏名、年令、生年月日など）を用いて、ユーザ個人情報格納部１０１を検索し、ユーザ個人情報格納部１０１に一致する情報が格納されているユーザ情報のみを選択する。そして、選択画面構成出力部４４は、選択したユーザ情報から、選択画面を構成し、出力する。ここで、選択画面構成出力部４４は、通常、ユーザ個人情報格納部１０１から、名刺交換情報処理装置４が管理しているユーザ識別子を有するユーザ情報を取得する。
【０２０４】
選択画面構成出力部４４は、通常、無線または有線の通信手段で実現されるが、放送手段で実現されても良い。
【０２０５】
ユーザ選択指示受付部４５は、名刺交換するユーザを選択する指示であるユーザ選択指示を受け付ける。ユーザ選択指示の入力手段は、キーボードやマウスやメニュー画面によるもの等、何でも良い。ユーザ選択指示受付部４５は、キーボード等の入力手段のデバイスドライバーや、メニュー画面の制御ソフトウェア等で実現され得る。
【０２０６】
名刺交換質問部４６は、ユーザ選択指示に対応する１以上のユーザ情報に含まれる１以上のユーザ通知先情報を取得し、ユーザ通知先情報を用いて、名刺交換を行うか否かの問い合わせを行う。なお、問い合わせとは、ユーザ通知先情報が示す通知先に、名刺交換を行うか否かの回答を行う画面を送信しても良いし、名刺交換を行うか否かの回答を指示する文などを送信しても良い。また、名刺交換を行うか否かの問い合わせは、例えば、名刺交換を促す情報と、回答を入力するためのＷｅｂページを特定するＵＲＩとを含む。
【０２０７】
また、名刺交換質問部４６は、他ユーザ接触情報受付部１１３が他ユーザ接触情報を受け付けた場合に、他ユーザ接触情報が有する他ユーザ情報と対になるユーザ通知先情報を、ユーザ個人情報格納部１０１から取得し、ユーザ通知先情報を用いて、名刺交換を行うか否かの問い合わせを行う。かかる動作は、名刺交換質問部１１４と同様の動作である。
【０２０８】
名刺交換質問部４６は、通常、ＭＰＵやメモリ等から実現され得る。名刺交換質問部４６の処理手順は、通常、ソフトウェアで実現され、当該ソフトウェアはＲＯＭ等の記録媒体に記録されている。但し、ハードウェア（専用回路）で実現しても良い。
【０２０９】
回答受付部４７は、名刺交換を行うか否かの問い合わせに対応する回答を受け付ける。回答は、名刺交換を許可する回答、または名刺交換を許可しない回答のいずれかである。ここで、受け付けとは、通常、ネットワーク等の通信手段による受信であるが、ＦＡＸによる受信、手動による入力受け付けなど、受け付ける手段は問わない。
【０２１０】
名刺交換処理部４８は、名刺交換処理を行う。名刺交換処理は、バーチャルな名刺交換処理である。つまり、名刺交換処理は、一のユーザが名刺交換した１以上の相手先の名刺画像を出力させる場合に、バーチャルな名刺交換処理を行った他のユーザの名刺画像をも出力させるようにする処理である。名刺交換処理は、他ユーザ接触情報受付部１１３が他ユーザ接触情報を受け付けた場合に、他ユーザ接触情報が有する他ユーザ情報をキーとしてユーザ個人情報格納部１０１を検索し、他ユーザ情報に一致するユーザ情報と対になる名刺画像と、他ユーザ接触情報が有するユーザ識別子とを対応付ける名刺交換情報を、名刺交換情報格納部１０２に蓄積する。
【０２１１】
また、名刺交換処理部４８は、回答受付部４７が受け付けた回答が、名刺交換をするという回答である場合、他ユーザ情報に一致するユーザ情報と対になる名刺画像と、他ユーザ接触情報が有するユーザ識別子とを対応付ける名刺交換情報を、名刺交換情報格納部１０２に蓄積しても良い。
【０２１２】
また、名刺交換処理部４８は、名刺交換候補ユーザ情報受信部４３が受信した名刺交換候補ユーザ情報に含まれる１以上のユーザ情報の中の１以上のユーザ情報をキーとしてユーザ個人情報格納部１０１を検索し、１以上の各ユーザ情報に一致するユーザ情報と対になる１以上の名刺画像と、ユーザ識別子（ユーザ識別子受付部４１が受け付けたユーザ識別子（サーバ装置５が管理するユーザ識別子）に対応するユーザの識別子）とを対応付ける名刺交換情報を、名刺交換情報格納部１０２に蓄積しても良い。なお、ここでのユーザ識別子は、名刺交換情報処理装置４が管理するユーザ識別子である。
【０２１３】
さらに、名刺交換処理部４８は、回答受付部４７が受け付けた回答が、名刺交換をするという回答である場合、回答に対応するユーザ通知先情報と対になる名刺画像と、ユーザ識別子（ユーザ識別子受付部４１が受け付けたユーザ識別子に対応するユーザの識別子）とを対応付ける名刺交換情報を、名刺交換情報格納部１０２に蓄積しても良い。なお、ここでのユーザ識別子は、名刺交換情報処理装置４が管理するユーザ識別子である。
【０２１４】
名刺交換処理部４８は、通常、ＭＰＵやメモリ等から実現され得る。名刺交換処理部４８の処理手順は、通常、ソフトウェアで実現され、当該ソフトウェアはＲＯＭ等の記録媒体に記録されている。但し、ハードウェア（専用回路）で実現しても良い。
【０２１５】
サーバ装置５を構成するグループ情報格納部５１は、１以上のグループ情報を格納し得る。ただし、グループ情報格納部５１は、２以上のグループ情報を格納していることは好適である。グループ情報は、ユーザを識別するユーザ識別子と、ユーザに関する情報であるユーザ情報と、ユーザが属する１以上のグループを識別するグループ識別子とを対応付けた情報である。ユーザ情報とは、例えば、氏名、会社名、役職、メールアドレス、会社のＵＲＬ、電話番号、ＦＡＸ番号等である。また、ここでのユーザ識別子は、サーバ装置５が管理するユーザ識別子である。
【０２１６】
グループ情報格納部５１は、不揮発性の記録媒体が好適であるが、揮発性の記録媒体でも実現可能である。グループ情報格納部５１にグループ情報が記憶される過程は問わない。例えば、記録媒体を介してグループ情報がグループ情報格納部５１で記憶されるようになってもよく、通信回線等を介して送信されたグループ情報がグループ情報格納部５１で記憶されるようになってもよく、あるいは、入力デバイスを介して入力されたグループ情報がグループ情報格納部５１で記憶されるようになってもよい。
【０２１７】
ユーザ識別子受信部５２は、名刺交換情報処理装置４からユーザ識別子を受信する。ユーザ識別子受信部５２は、通常、無線または有線の通信手段で実現されるが、放送を受信する手段で実現されても良い。
【０２１８】
名刺交換候補ユーザ情報取得部５３は、名刺交換候補ユーザ情報をグループ情報格納部５１から取得する。名刺交換候補ユーザ情報は、ユーザ識別子受信部５２が受信したユーザ識別子と対になるグループ識別子と同一のグループ識別子を有するグループ情報が有する１以上のユーザ情報である。なお、名刺交換候補ユーザ情報取得部５３が取得するユーザ情報は、グループ情報格納部５１が格納しているユーザ情報のうちの一部の情報でも良い。例えば、グループ情報格納部５１が格納しているユーザ情報が氏名、会社名、役職、メールアドレス、会社のＵＲＬ、電話番号、ＦＡＸ番号である場合、名刺交換候補ユーザ情報取得部５３が取得するユーザ情報は氏名と会社名だけでも良い。なお、名刺交換候補ユーザ情報には、通常、ユーザ識別子受信部５２が受信したユーザ識別子に対応するユーザ情報は含まれない。
【０２１９】
名刺交換候補ユーザ情報取得部５３は、通常、ＭＰＵやメモリ等から実現され得る。名刺交換候補ユーザ情報取得部５３の処理手順は、通常、ソフトウェアで実現され、当該ソフトウェアはＲＯＭ等の記録媒体に記録されている。但し、ハードウェア（専用回路）で実現しても良い。
【０２２０】
名刺交換候補ユーザ情報送信部５４は、名刺交換候補ユーザ情報取得部５３が取得した名刺交換候補ユーザ情報を、名刺交換情報処理装置４に送信する。
【０２２１】
名刺交換候補ユーザ情報送信部５４は、通常、無線または有線の通信手段で実現されるが、放送手段で実現されても良い。
【０２２２】
次に、名刺管理システム３の動作について説明する。なお、名刺管理システム３の動作について、実施の形態１で説明した動作については、説明を省略する。
【０２２３】
まず、端末装置２の動作について説明する。端末装置２の端末受付部２１は、ユーザからユーザ識別子を受け付ける。次に、端末送信部２２は、端末受付部２１が受け付けたユーザ識別子を、名刺交換情報処理装置４に送信する。
【０２２４】
そして、端末受信部２３は、端末送信部２２におけるユーザ識別子の送信に対応して、名刺交換情報処理装置４から選択画面を受信する。そして、端末出力部２４は、端末受信部２３が受信した選択画面を出力する。
【０２２５】
次に、ユーザは、選択画面を見て、名刺交換したい人の項目を選択する。つまり、ユーザは、ユーザ選択指示を入力する。そして、端末受付部２１は、ユーザからユーザ選択指示を受け付ける。なお、ユーザ選択指示は、１以上のユーザを特定する情報（例えば、１以上のユーザ識別子など）を有する。なお、ここでのユーザ識別子は、名刺交換情報処理装置４が管理しているユーザ識別子である。
【０２２６】
次に、端末送信部２２は、端末受付部２１が受け付けたユーザ選択指示を、名刺交換情報処理装置４に送信する。
【０２２７】
そして、名刺交換情報処理装置４等により、後述する名刺交換処理が実行される。そして、端末受信部２３は、名刺交換情報処理装置４から、名刺交換されたユーザについて知らせる情報を受信しても良い。かかる場合、端末出力部２４は、名刺交換されたユーザについて知らせる情報を出力する。
【０２２８】
なお、端末装置２は、ユーザ識別子を受け付けた場合、ユーザがユーザ選択指示を入力することなく、名刺交換処理が完了しても良い。
【０２２９】
次に、名刺交換情報処理装置４の動作について、図２３のフローチャートを用いて説明する。図２３のフローチャートにおいて、図３のフローチャートと同一のステップについて、説明を省略する。
【０２３０】
（ステップＳ２３０１）ユーザ識別子受付部４１は、ユーザ識別子を受け付けたか否かを判断する。ユーザ識別子を受け付ければステップＳ２３０２に行き、ユーザ識別子を受け付けなければステップＳ３１５に行く。なお、ここでのユーザ識別子は、サーバ装置５で管理されているユーザ識別子
【０２３１】
（ステップＳ２３０２）名刺交換情報処理装置４は、サーバ装置５に格納されているユーザ情報を利用して、バーチャルな名刺交換を行うサーバ連携処理を行う。サーバ連携処理について、図２４、図２５のフローチャートを用いて説明する。
【０２３２】
なお、図２３のフローチャートにおいて、電源オフや処理終了の割り込みにより処理は終了する。
【０２３３】
次に、ステップＳ２３０２のサーバ連携処理の第一の例について、図２４のフローチャートを用いて説明する。図２３のフローチャートにおいて、図３のフローチャートと同一のステップについて、説明を省略する。
【０２３４】
（ステップＳ２４０１）ユーザ識別子送信部４２は、受け付けられたユーザ識別子をサーバ装置５に送信する。
【０２３５】
（ステップＳ２４０２）名刺交換候補ユーザ情報受信部４３は、ステップＳ２４０１におけるユーザ識別子の送信に応じて、サーバ装置５から名刺交換候補ユーザ情報を受信したか否かを判断する。名刺交換候補ユーザ情報を受信すればステップＳ２４０３に行き、名刺交換候補ユーザ情報を受信しなければステップＳ２４０２に戻る。
【０２３６】
（ステップＳ２４０３）選択画面構成出力部４４は、名刺交換候補ユーザ情報受信部４３が受信した名刺交換候補ユーザ情報に含まれる１以上のユーザ情報を用いて、選択画面を構成する。選択画面構成出力部４４は、例えば、名刺交換候補ユーザ情報に含まれる１以上の各ユーザ情報の一部のユーザを特定できる情報（例えば、氏名、生年月日、電話場号など）をキーとしてユーザ個人情報格納部１０１を検索し、ユーザ個人情報格納部１０１から１以上のユーザ情報（名刺交換情報処理装置４が管理するユーザ情報）を取得する。そして、選択画面構成出力部４４は、取得した１以上の各ユーザ情報に対応する１以上の選択メニュー項目を有する選択画面を構成する。なお、名刺交換候補ユーザ情報に含まれるユーザ情報に対応するユーザの情報が、ユーザ個人情報格納部１０１に格納されていない場合もあり得る。
【０２３７】
（ステップＳ２４０４）選択画面構成出力部４４は、ステップＳ２４０３で構成した選択画面を出力する。ここでの出力は、通常、端末装置２への送信である。
【０２３８】
（ステップＳ２４０５）ユーザ選択指示受付部４５は、ステップＳ２４０４における選択画面の出力に応じて、ユーザ選択指示を受け付けたか否かを判断する。ユーザ選択指示を受け付ければステップＳ２４０６に行き、ユーザ選択指示を受け付けなければステップＳ２４０５に戻る。なお、ここでのユーザ選択指示の受け付けは、通常、端末装置２からのユーザ選択指示の受信である。
【０２３９】
（ステップＳ２４０６）名刺交換質問部４６は、カウンタｉに１を代入する。
【０２４０】
（ステップＳ２４０７）名刺交換質問部４６は、ユーザ選択指示で選択された１以上のユーザに対応するｉ番目のユーザ情報が存在するか否かを判断する。ｉ番目のユーザ情報が存在すればステップＳ２４０８に行き、ｉ番目のユーザ情報が存在しなければ上位処理にリターンする。
【０２４１】
（ステップＳ２４０８）名刺交換質問部４６等は、ｉ番目のユーザ情報を用いて、名刺交換処理を行う。名刺交換処理は、図４で説明した処理である。
【０２４２】
（ステップＳ２４０９）名刺交換質問部４６は、カウンタｉを１、インクリメントする。ステップＳ２４０７に戻る。
【０２４３】
なお、図２４のフローチャートのステップＳ２４０８の名刺交換処理において、ステップＳ４０９の登録・名刺交換処理を行わなくても良い。かかることは、図２５のフローチャートにおいても同様である。
【０２４４】
次に、ステップＳ２３０２のサーバ連携処理の第二の例について、図２５のフローチャートを用いて説明する。サーバ連携処理の第二の例は、端末装置２のユーザが、名刺交換するユーザを選択できない点が、第一の例と異なる。図２５のフローチャートにおいて、図２４のステップＳ２４０１、ステップＳ２４０２、ステップＳ２４０６、ステップＳ２４０７、ステップＳ２４０８、およびステップＳ２４０９により実現される。
【０２４５】
以下、本実施の形態における名刺管理システム３の具体的な動作について説明する。
名刺管理システム３の概念図は、図２０である。また、サーバ装置５は、ここでは、例えば、ＳＮＳサーバである。
【０２４６】
今、名刺交換情報処理装置４のユーザ個人情報格納部１０１は、図６に示すユーザ個人情報管理表を保持している。
【０２４７】
また、名刺交換情報格納部１０２は、図７に示す名刺交換情報管理表を保持している。
【０２４８】
さらに、サーバ装置５のグループ情報格納部５１は、図２６に示すグループ情報管理表を格納している。グループ情報管理表は、「ＩＤ」「ユーザ識別子」「グループ識別子」「ユーザ情報」を有するレコードを１以上、格納している。「ユーザ情報」は、「氏名」「年令」「性別」「通知先情報（メールアドレス）」「会社名」を有する。
【０２４９】
かかる場合、端末装置２のユーザ「山田一郎」は、サーバ装置５で運営されるＳＮＳのコミュニティーにおいて、同一のグループに属する他のユーザと名刺交換を行うために、端末装置２に対して、ユーザ識別子「Ｍ００１」を入力した、とする。なお、ユーザ識別子「Ｍ００１」は、サーバ装置５で管理されているユーザ識別子である。
【０２５０】
次に、端末装置２の端末受付部２１は、ユーザ識別子「Ｍ００１」を受け付ける。次に、端末送信部２２は、端末受付部２１が受け付けたユーザ識別子「Ｍ００１」を、名刺交換情報処理装置４に送信する。
【０２５１】
次に、名刺交換情報処理装置４のユーザ識別子受付部４１は、端末装置２から、ユーザ識別子「Ｍ００１」を受信する。
【０２５２】
次に、ユーザ識別子送信部４２は、受信されたユーザ識別子「Ｍ００１」をサーバ装置５に送信する。
【０２５３】
次に、サーバ装置５のユーザ識別子受信部５２は、名刺交換情報処理装置４からユーザ識別子「Ｍ００１」を受信する。
【０２５４】
そして、サーバ装置５の名刺交換候補ユーザ情報取得部５３は、ユーザ識別子「Ｍ００１」を用いて、名刺交換候補ユーザ情報をグループ情報管理表（図２６）から取得する。つまり、名刺交換候補ユーザ情報取得部５３は、ユーザ識別子「Ｍ００１」をキーとしてグループ情報管理表（図２６）を検索し、グループ識別子「Ｇ０１」を取得する。そして、名刺交換候補ユーザ情報取得部５３は、グループ識別子「Ｇ０１」を有するレコード（ＩＤ＝３，４，５，・・・）を取得する。なお、ここでは、通常、名刺交換候補ユーザ情報取得部５３は、ユーザ識別子「Ｍ００１」のレコード（ＩＤ＝１）は取得しない。
【０２５５】
次に、名刺交換候補ユーザ情報取得部５３は、取得したレコードの情報のうち、各レコードについて、予め決められた情報（例えば、氏名、年令、性別、通信先情報）を取得する。つまり、名刺交換候補ユーザ情報取得部５３は、例えば、図２７に示す名刺交換候補ユーザ情報を取得する。
【０２５６】
次に、名刺交換候補ユーザ情報送信部５４は、名刺交換候補ユーザ情報取得部５３が取得した名刺交換候補ユーザ情報（図２７）を、名刺交換情報処理装置４に送信する。
【０２５７】
次に、名刺交換情報処理装置４の名刺交換候補ユーザ情報受信部４３は、図２７に示す名刺交換候補ユーザ情報を受信する。
【０２５８】
そして、選択画面構成出力部４４は、図２７に示す名刺交換候補ユーザ情報を用いて、選択画面を構成する。ここで、選択画面構成出力部４４は、図２７に示す名刺交換候補ユーザ情報のうち、ユーザ「山田一郎」と既に名刺交換しているユーザのユーザ情報を除く。つまり、選択画面構成出力部４４は、サーバ装置５でのユーザ識別子「Ｍ００１」を入力したユーザが、本システムにログインした際のユーザ識別子「１００１」を保持しており、当該ユーザ識別子「１００１」で識別されるユーザと名刺交換したユーザのユーザ識別子「１００２」「１２５８」・・・を、図７の名刺交換情報管理表から取得する。そして、選択画面構成出力部４４は、ユーザ識別子「１００２」「１２５８」等で識別されるユーザ情報を、図６のユーザ個人情報管理表から検索し、取得する。そして、選択画面構成出力部４４は、取得したユーザ情報と一致するユーザ情報（ここでは、「１２５８」の太田春夫のユーザ情報）を、名刺交換候補ユーザ情報から除く。また、次に、選択画面構成出力部４４は、受信された名刺交換候補ユーザ情報のうち、ユーザ個人情報管理表で管理されているユーザのユーザ情報のみを、選択画面の構成のために用いても良い。ここで、選択画面構成出力部４４は、「加藤博美」「木田順子」等のユーザ情報から選択画面を構成した、とする。なお、選択画面構成出力部４４は、受信された名刺交換候補ユーザ情報が有するすべてのユーザ情報を用いて選択画面を構成しても良いことは言うまでもない。
【０２５９】
次に、選択画面構成出力部４４は、構成した選択画面を端末装置２に送信する。ここで、例えば、選択画面はＨＴＭＬで記述されている、とする。ＨＴＭＬで記述されている選択画面を構成する技術は公知技術であるので、詳細な説明を省略する。
【０２６０】
次に、端末装置２の端末受信部２３は、端末送信部２２におけるユーザ識別子「Ｍ００１」の送信に対応して、名刺交換情報処理装置４から選択画面を受信する。そして、端末出力部２４は、端末受信部２３が受信した選択画面を出力する。ここで、選択画面は、図２８である。
【０２６１】
次に、端末装置２のユーザ「山田一郎」は、「加藤博美」と名刺交換したい、と考え、選択の項目（チェックボックス）にチェックを入力した、とする。
【０２６２】
次に、端末装置２の端末受付部２１は、ユーザから「加藤博美」のユーザ選択指を受け付ける。
【０２６３】
次に、端末送信部２２は、端末受付部２１が受け付けた「加藤博美」のユーザ選択指示を、名刺交換情報処理装置４に送信する。このユーザ選択指示は、例えば、「加藤博美」を特定する「ＩＤ＝４」でも良い。
【０２６４】
次に、名刺交換情報処理装置４のユーザ選択指示受付部４５は、選択画面の送信に応じて、ユーザ選択指示（例えば、「ＩＤ＝４」）を受信する。
【０２６５】
次に、名刺交換情報処理装置４の名刺交換質問部４６等は、ユーザ情報「氏名：加藤博美，年令：２５，性別：女，通信先情報：ｋａｔｏ＠ｘｘ．ｊｐ」を用いて、名刺交換処理を行う。
【０２６６】
つまり、名刺交換質問部１１４は、ユーザ情報が有する通信先情報「ｋａｔｏ＠ｘｘ．ｊｐ」が示す通知先に、端末装置２のユーザと名刺交換を行うか否かの問い合わせを行う。なお、かかる名刺交換を行うか否かの問い合わせは、例えば、図１３のＷｅｂページを出力するためのＵＲＬと、名刺交換を促す文章が記載されたメールと同様のメールの送信である。
【０２６７】
そして、「加藤博美」は、メールに記載されているＵＲＬを指示し、図１３と同様の画面（名刺交換の相手は、山田一郎である）を自分の端末装置２に表示させた、とする。そして、「加藤博美」は、画面のアンカー「名刺交換する」をマウス等の入力手段を用いて押下した、とする。そして、端末送信部２２は、端末受付部２１が受け付けた「名刺交換する」の情報を、名刺交換情報処理装置４に送信する。
【０２６８】
次に、回答受付部４７は、名刺交換を行う旨の回答を受け付ける。そして、名刺交換処理部４８は、回答受付部４７が受け付けた回答が、名刺交換を許可する回答「可」であると判断する。
【０２６９】
名刺交換処理部４８の名刺交換処理手段１１６２は、メールアドレス「ｋａｔｏ＠ｘｘ．ｊｐ」を含むユーザ情報と対になる名刺画像（加藤博美さんの名刺画像）と、ユーザ識別子「１００１」とを対応付ける名刺交換情報を取得する。
【０２７０】
また、名刺交換処理部４８の名刺交換処理手段１１６２は、メールアドレス「ｋａｔｏ＠ｘｘ．ｊｐ」と対になるユーザ識別子「１６１９」とユーザ識別子「１００１」と対になる「山田一郎」の名刺画像とを対応付ける名刺交換情報を取得する。
【０２７１】
次に、名刺交換処理手段１１６２は、取得した２つの名刺交換情報を、名刺交換情報管理表に蓄積する。そして、図２９に示す名刺交換情報管理表が得られる。以上の処理により、バーチャルな名刺交換が実現できた。
【０２７２】
以上、本実施の形態によれば、ＳＮＳ等の既存（他のサーバ装置）の人的ネットワークの情報を利用して、バーチャルな名刺交換を実現することができる。そのために、情報通信技術を用いたヒューマンネットワークのさらなる拡大を図ることができる。
【０２７３】
なお、本実施の形態における名刺交換情報処理装置４を実現するソフトウェアは、以下のようなプログラムである。つまり、このプログラムは、記憶媒体に、ユーザを識別する情報であるユーザ識別子と当該ユーザに関する情報であるユーザ情報と当該ユーザの名刺画像とを有する２以上のユーザ個人情報を格納し、かつ、ユーザ識別子と当該ユーザ識別子で識別されるユーザが名刺交換したユーザの名刺画像とを対応付ける情報である１以上の名刺交換情報を格納し得、コンピュータを、ユーザ識別子を受け付けるユーザ識別子受付部と、前記ユーザ識別子を、サーバ装置に送信するユーザ識別子送信部と、前記ユーザ識別子の送信に応じて、当該ユーザ識別子で識別されるユーザと同一のグループに属する１以上のユーザの１以上のユーザ情報である名刺交換候補ユーザ情報を、前記サーバ装置から受信する名刺交換候補ユーザ情報受信部と、前記名刺交換候補ユーザ情報受信部が受信した名刺交換候補ユーザ情報に含まれる１以上のユーザ情報の中の１以上のユーザ情報をキーとして前記記憶媒体を検索し、当該１以上の各ユーザ情報に一致するユーザ情報と対になる１以上の名刺画像と、前記ユーザ識別子とを対応付ける名刺交換情報を、前記記憶媒体に蓄積する名刺交換処理部として実行させるためのプログラム、である。
【０２７４】
上記プログラムにおいて、前記ユーザ情報は、ユーザ識別子で識別されるユーザに対する問い合わせ先を示すユーザ通知先情報を有し、前記名刺交換候補ユーザ情報受信部が受信した名刺交換候補ユーザ情報に含まれる１以上のユーザ情報を用いて、名刺交換するユーザを選択する選択画面を構成し、出力する選択画面構成出力部と、名刺交換するユーザを選択する指示であるユーザ選択指示を受け付けるユーザ選択指示受付部と、前記ユーザ選択指示に対応する１以上のユーザ情報に含まれる１以上のユーザ通知先情報を取得し、当該ユーザ通知先情報を用いて、名刺交換を行うか否かの問い合わせを行う名刺交換質問部と、前記名刺交換を行うか否かの問い合わせに対応する回答を受け付ける回答受付部とをさらに具備し、前記名刺交換処理部は、前記回答受付部が受け付けた回答が、名刺交換をするという回答である場合、当該回答に対応するユーザ通知先情報と対になる名刺画像と、前記ユーザ識別子とを対応付ける名刺交換情報を、前記記憶媒体に蓄積するものとしてコンピュータを機能させることは好適である。
【０２７５】
上記プログラムにおいて、前記名刺交換を行うか否かの問い合わせは、名刺交換を促す情報と、前記回答を入力するためのＷｅｂページを特定するＵＲＩとを含むことは好適である。
（実施の形態３）
本実施の形態において、ユーザ登録の際に、第三者によって既に入力されている名刺画像を用いる名刺管理システムについて説明する。なお、本実施の形態における名刺管理システムは、実施の形態１と同様に、名刺画像を用いて、ユーザ登録を行う機能も有するが、名刺画像を用いて、ユーザ登録を行う機能を有さなくても良い。
図３２は、本実施の形態における名刺管理システムを構成する名刺交換情報処理装置６のブロック図である。名刺管理システムは、名刺交換情報処理装置６と２以上の端末装置２を具備する。名刺交換情報処理装置６と各端末装置２とは、相互に通信可能である。
名刺交換情報処理装置６は、ユーザ個人情報格納部１０１、名刺交換情報格納部１０２、パスワード入力画面格納部１０３、名刺画像受付部１０４、パスワード入力画面送信部１０５、パスワード受信部１０６、ユーザ特定情報受信部６０６、ユーザ登録部６０７、交換名刺受付部１０８、交換名刺蓄積部１０９、名刺出力指示受付部１１０、名刺画像取得部１１１、名刺画像出力部１１２、他ユーザ接触情報受付部１１３、名刺交換質問部１１４、回答受付部１１５、名刺交換処理部１１６を具備する。
また、ユーザ登録部６０７は、ユーザ識別子生成手段１０７１、名刺認識手段１０７２、名刺画像取得手段６０７２、名刺画像送信手段６０７３、名刺画像選択情報受信手段６０７４、ユーザ個人情報蓄積手段６０７５を具備する。
また、端末装置２は、端末受付部２１、端末送信部２２、端末受信部２３、端末出力部２４を具備する。
ユーザ特定情報受信部６０６は、登録するユーザを特定する情報であるユーザ特定情報を、端末装置２から受信する。ユーザ特定情報は、例えば、氏名およびメールアドレスである。また、ユーザ特定情報は、例えば、氏名、メールアドレスおよびパスワードである。また、ユーザ特定情報は、例えば、氏名やメールアドレスのみである。また、ユーザ特定情報は、例えば、会社名と氏名である。また、ユーザ特定情報は、ユーザ登録を促すメールが送信されたユーザの端末装置２を特定する情報でも良い。ユーザ特定情報受信部６０６は、通常、無線または有線の通信手段で実現されるが、放送を受信する手段で実現されても良い。
ユーザ登録部６０７は、ユーザ特定情報受信部６０６が受信したユーザ特定情報を用いて、ユーザ個人情報格納部１０１に格納されている名刺画像を検索し、ユーザ特定情報の全部または一部と、検索した名刺画像とを有するユーザ個人情報を、ユーザ個人情報格納部１０１に蓄積する。なお、名刺画像を有するユーザ個人情報とは、名刺画像を特定する情報を有するユーザ個人情報でも良い。
名刺画像取得手段６０７２は、ユーザ特定情報受信部６０６が受信したユーザ特定情報（例えば、メールアドレス）を用いて、名刺交換情報格納部１０２に格納されている１以上の名刺画像を検索し、取得する。
名刺画像送信手段６０７３は、名刺画像取得手段６０７２が２以上の名刺画像を取得した場合、当該２以上の名刺画像を、ユーザ特定情報を送信してきた端末装置２に送信する。
名刺画像選択情報受信手段６０７４は、名刺画像送信手段６０７３が送信した２以上の名刺画像のうちで、ユーザが選択した名刺画像を特定する選択名刺画像情報を、端末装置２から受信する。選択名刺画像情報は、名刺画像そのものでも良いし、名刺画像を識別する情報でも良い。
ユーザ個人情報蓄積手段６０７５は、ユーザ特定情報受信部６０６が受信したユーザ特定情報の全部または一部、および名刺画像を有するユーザ個人情報を、ユーザ個人情報格納部１０１に蓄積する。ここで、名刺画像は、名刺画像取得手段６０７２が取得した名刺画像、または名刺画像選択情報受信手段６０７４が受信した選択名刺画像情報で特定される名刺画像である。また、ユーザ個人情報蓄積手段６０７５は、ユーザ個人情報蓄積手段１０７３と同様の機能も実現する。
ユーザ登録部６０７は、通常、無線または有線の通信手段、およびＭＰＵやメモリ等から実現され得る。
端末受付部２１は、ここでは、例えば、ユーザ特定情報や名刺画像選択情報を受け付ける。
端末送信部２２は、ここでは、例えば、端末受付部２１が受け付けたユーザ特定情報や名刺画像選択情報を送信する。
端末受信部２３は、ここでは、例えば、名刺交換情報処理装置６から２以上の名刺画像を受信する。
端末出力部２４は、ここでは、例えば、端末受信部２３が受信した２以上の名刺画像を出力する。
次に、名刺管理システムの動作について説明する。本実施の形態の名刺管理システムにおいて、実施の形態１の名刺管理システムと比較して、第三者によって既に入力されている名刺画像を用いるユーザ登録処理のみ異なる。かかるユーザ登録処理について、図３３のフローチャートを用いて説明する。
（ステップＳ３３０１）名刺交換情報処理装置６のユーザ特定情報受信部６０６は、ユーザ特定情報を、端末装置２から受信したか否かを判断する。ユーザ特定情報を受信すればステップＳ３３０２に行き、受信しなければステップＳ３３０１に戻る。
（ステップＳ３３０２）名刺画像取得手段６０７２は、ステップＳ３３０１で受信されたユーザ特定情報を用いて、名刺交換情報格納部１０２を検索し、１以上の名刺画像を取得する。
（ステップＳ３３０３）名刺画像取得手段６０７２は、ステップＳ３３０２で取得した名刺画像に対して、ユニーク処理を行う。つまり、名刺画像取得手段６０７２は、２以上の名刺画像を取得した場合、同一の２以上の名刺画像が存在すれば、一の名刺画像以外を削除する。なお、同一の名刺画像とは、類似度が所定の閾値以上である名刺画像でも良いし、名刺画像に対応するユーザの情報（会社名、メールアドレス、役職など）が同一の名刺画像等でも良い。
（ステップＳ３３０４）名刺画像送信手段６０７３は、２以上の名刺画像が存在するか否かを判断する。２以上の名刺画像が存在すればステップＳ３３０５に行き、存在しなければステップＳ３３０８に行く。
（ステップＳ３３０５）名刺画像送信手段６０７３は、２以上の名刺画像を端末装置２に送信する。
（ステップＳ３３０６）名刺画像選択情報受信手段６０７４は、端末装置２から名刺画像選択情報を受信したか否かを判断する。名刺画像選択情報を受信すればステップＳ３３０７に行き、受信しなければステップＳ３３０６に戻る。
（ステップＳ３３０７）ユーザ個人情報蓄積手段６０７５は、ステップＳ３３０６で受信された名刺画像選択情報に対応する名刺画像を取得する。ステップＳ３３０９に行く。
（ステップＳ３３０８）ユーザ個人情報蓄積手段６０７５は、ステップＳ３３０２で検索された名刺画像を取得する。
（ステップＳ３３０９）ユーザ個人情報蓄積手段６０７５は、ステップＳ３３０１で受信されたユーザ特定情報の一部または全部、および名刺画像を用いて、ユーザ個人情報を構成する。なお、ユーザ個人情報蓄積手段６０７５は、名刺画像を文字認識して取得された情報を用いて、ユーザ個人情報を構成しても良い。
（ステップＳ３３１０）ユーザ個人情報蓄積手段６０７５は、ステップＳ３３０９で構成したユーザ個人情報を、ユーザ個人情報格納部１０１に蓄積する。
なお、図３３のフローチャートにおいて、ユーザ登録完了後、名刺交換情報処理装置６は、ユーザ登録完了を示す情報を端末装置２に送信することは好適である。
また、ステップＳ３３０２において、名刺画像を取得できなかった場合は、実施の形態１で説明したように、ユーザは自身の名刺画像を用いて、ユーザ登録する。
さらに、図３３のフローチャートにおいて、ステップＳ３３０４において、一の名刺画像のみが存在する場合でも、名刺画像送信手段６０７３が当該一の名刺画像を端末装置２に送信し、ユーザが端末装置２に入力した確認を示す情報または、ユーザの端末装置２からの別の名刺画像を受信しても良い。そして、この場合、名刺交換情報処理装置６が端末装置２から確認を示す情報を受信した際には、ユーザ個人情報蓄積手段６０７５はステップＳ３３０２で検索された名刺画像を蓄積し、端末装置２からの別の名刺画像を受信した際には、ユーザ個人情報蓄積手段６０７５は当該受信した名刺画像を蓄積することは好適である。なお、上記の確認を示す情報とは、受信された名刺画像を利用することの確認を示す情報である。
以上、本実施の形態によれば、簡単にユーザ登録が可能となる。
なお、本実施の形態において説明したユーザ登録の方法は、実施の形態２における名刺管理システムでも採用可能である。かかる場合の名刺管理システムは、図３４のような構成になる。かかる場合の名刺管理システムは、名刺交換情報処理装置７と２以上の端末装置２を具備する。
また、名刺交換情報処理装置６は、実施の形態１において説明した一のユーザ登録の態様である「登録して名刺交換する」機能を有することは言うまでもない。かかる場合、名刺交換情報処理装置６が受信するユーザ特定情報は、例えば、端末装置２を特定する情報である。なお、かかる場合のユーザ特定情報は「登録して名刺交換する」旨の情報と同意義である。
そして、ユーザ登録部６０７は、端末装置２を特定する情報に対応するユーザの情報と名刺画像とを用いてユーザ個人情報を構成する。そして、ユーザ登録部６０７は、当該ユーザ個人情報をユーザ個人情報格納部１０１に蓄積する。なお、端末装置２を特定する情報に対応するユーザの情報と名刺画像は、例えば、送信されたメールのメールアドレスに対応するユーザの情報と名刺画像である。
【０２７６】
また、図３０は、本明細書で述べたプログラムを実行して、上述した実施の形態の名刺交換情報処理装置１や端末装置２等を実現するコンピュータの外観を示す。上述の実施の形態は、コンピュータハードウェア及びその上で実行されるコンピュータプログラムで実現され得る。図３０は、このコンピュータシステム３４０の概観図であり、図３１は、コンピュータシステム３４０の内部構成を示す図である。
【０２７７】
図３０において、コンピュータシステム３４０は、ＦＤドライブ３４１１、ＣＤ−ＲＯＭドライブ３４１２を含むコンピュータ３４１と、キーボード３４２と、マウス３４３と、モニタ３４４とを含む。
【０２７８】
図３１において、コンピュータ３４１は、ＦＤドライブ３４１１、ＣＤ−ＲＯＭドライブ３４１２に加えて、ＭＰＵ３４１３と、ＣＤ−ＲＯＭドライブ３４１２及びＦＤドライブ３４１１に接続されたバス３４１４と、ブートアッププログラム等のプログラムを記憶するためのＲＯＭ３４１５とに接続され、アプリケーションプログラムの命令を一時的に記憶するとともに一時記憶空間を提供するためのＲＡＭ３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０２７９】
コンピュータシステム３４０に、上述した実施の形態の名刺交換情報処理装置１や端末装置２等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０２８０】
プログラムは、コンピュータ３４１に、上述した実施の形態の名刺管理システム等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０２８１】
なお、上記プログラムにおいて、情報を送信するステップや、情報を受信するステップなどでは、ハードウェアによって行われる処理、例えば、モデムやインターフェースカードなどで行われる処理（ハードウェアでしか行われない処理）は含まれない。
【０２８２】
また、上記プログラムを実行するコンピュータは、単数であってもよく、複数であってもよい。すなわち、集中処理を行ってもよく、あるいは分散処理を行ってもよい。
【０２８３】
また、上記各実施の形態において、一の装置に存在する２以上の通信手段は、物理的に一の媒体で実現されても良いことは言うまでもない。
【０２８４】
また、上記各実施の形態において、各処理（各機能）は、単一の装置（システム）によって集中処理されることによって実現されてもよく、あるいは、複数の装置によって分散処理されることによって実現されてもよい。
【０２８５】
本発明は、以上の実施の形態に限定されることなく、種々の変更が可能であり、それらも本発明の範囲内に包含されるものであることは言うまでもない。
【産業上の利用可能性】
【０２８６】
以上のように、本発明にかかる名刺交換情報処理装置は、バーチャルな名刺交換を実現することができるために、情報通信技術を用いたヒューマンネットワークの拡大を図ることができる、という効果を有し、名刺管理システム等として有用である。
【符号の説明】
【０２８７】
１、４、６、７  名刺交換情報処理装置
２  端末装置
３  名刺管理システム
５  サーバ装置
２１  端末受付部
２２  端末送信部
２３  端末受信部
２４  端末出力部
４１  ユーザ識別子受付部
４２  ユーザ識別子送信部
４３  名刺交換候補ユーザ情報受信部
４４  選択画面構成出力部
４５  ユーザ選択指示受付部
４６、１１４  名刺交換質問部
４７、１１５  回答受付部
４８、１１６  名刺交換処理部
５１  グループ情報格納部
５２  ユーザ識別子受信部
５３  名刺交換候補ユーザ情報取得部
５４  名刺交換候補ユーザ情報送信部
１０１  ユーザ個人情報格納部
１０２  名刺交換情報格納部
１０３  パスワード入力画面格納部
１０４  名刺画像受付部
１０５  パスワード入力画面送信部
１０６  パスワード受信部
１０７、６０７  ユーザ登録部
１０８  交換名刺受付部
１０９  交換名刺蓄積部
１１０  名刺出力指示受付部
１１１  名刺画像取得部
１１２  名刺画像出力部
１１３  他ユーザ接触情報受付部
１０７１  ユーザ識別子生成手段
１０７２  名刺認識手段
１０７３  ユーザ個人情報蓄積手段
１１６１  判断手段
１１６２  名刺交換処理手段
１１６３  関係者ユーザ情報蓄積手段
１１６４  ユーザ登録催促情報送信手段
６０７２  名刺画像取得手段
６０７３  名刺画像送信手段
６０７４  名刺画像選択情報受信手段
【図１】
0005224556.tif 000002
【図２】
0005224556.tif 000003
【図３】
0005224556.tif 000004
【図４】
0005224556.tif 000005
【図５】
0005224556.tif 000006
【図６】
0005224556.tif 000007
【図７】
0005224556.tif 000008
【図８】
0005224556.tif 000009
【図９】
0005224556.tif 000010
【図１０】
0005224556.tif 000011
【図１１】
0005224556.tif 000012
【図１２】
0005224556.tif 000013
【図１３】
0005224556.tif 000014
【図１４】
0005224556.tif 000015
【図１５】
0005224556.tif 000016
【図１６】
0005224556.tif 000017
【図１７】
0005224556.tif 000018
【図１８】
0005224556.tif 000019
【図１９】
0005224556.tif 000020
【図２１】
0005224556.tif 000021
【図２２】
0005224556.tif 000022
【図２３】
0005224556.tif 000023
【図２４】
0005224556.tif 000024
【図２５】
0005224556.tif 000025
【図２６】
0005224556.tif 000026
【図２７】
0005224556.tif 000027
【図２８】
0005224556.tif 000028
【図２９】
0005224556.tif 000029
【図３０】
0005224556.tif 000030
【図３１】
0005224556.tif 000031
【図３２】
0005224556.tif 000032
【図３３】
0005224556.tif 000033
【図３４】
0005224556.tif 000034
【図２０】
0005224556.tif 000035